(57)【特許請求の範囲】
【請求項１】
ユーザ機器（ＵＥ）におけるワイヤレス通信の方法であって、
ノードに関連する制御チャネルを復号するための復調基準信号（ＤＭ−ＲＳ）をその間に監視すべき複数のサブフレームを識別することと、ここにおいて、前記制御チャネルが広帯域システムの狭帯域領域を備え、前記複数のサブフレームが複数のサブフレームにわたって前記ＤＭ−ＲＳのための同じプリコーディングを有する、
前記ＤＭ−ＲＳに少なくとも部分的に基づいて前記制御チャネルを復号することと
を備える、方法。
【請求項２】
前記狭帯域領域内で前記同じプリコーディングを有する２つまたはそれ以上のリソースブロック（ＲＢ）を識別すること
をさらに備える、請求項１に記載の方法。
【請求項３】
ブロードバンド通信のための制御領域を備える前記狭帯域領域のリソースを前記制御チャネルから除外すること
をさらに備える、請求項１に記載の方法。
【請求項４】
ブロードバンド通信のための前記制御領域を備える前記狭帯域領域の前記リソースを示すメッセージを受信することと、
前記メッセージに少なくとも部分的に基づいて、前記ブロードバンド通信のための前記制御領域を備える前記狭帯域領域の前記リソースを決定することと
をさらに備える、請求項３に記載の方法。
【請求項５】
前記制御チャネルが、リソース要素グループ（ＲＥＧ）のセットを備える制御チャネル要素（ＣＣＥ）を備える、請求項１に記載の方法。
【請求項６】
ＲＥＧの前記セットのうちの各ＲＥＧが、前記狭帯域領域内で前記複数のサブフレームの間に時間および周波数において分散される、請求項５に記載の方法。
【請求項７】
ＲＥＧの前記セットのうちの各ＲＥＧが、ＤＭ−ＲＳを備えるリソース要素を除外する、請求項５に記載の方法。
【請求項８】
ワイヤレス通信のための装置であって、
ノードに関連する制御チャネルを復号するための復調基準信号（ＤＭ−ＲＳ）をその間に監視すべき複数のサブフレームを識別するための手段と、ここにおいて、前記制御チャネルが広帯域システムの狭帯域領域を備え、前記複数のサブフレームが複数のサブフレームにわたって前記ＤＭ−ＲＳのための同じプリコーディングを有する、
前記ＤＭ−ＲＳに少なくとも部分的に基づいて前記制御チャネルを復号するための手段と
を備える、装置。
【請求項９】
前記狭帯域領域内で前記同じプリコーディングを有する２つまたはそれ以上のリソースブロック（ＲＢ）を識別するための手段
をさらに備える、請求項８に記載の装置。
【請求項１０】
ブロードバンド通信のための制御領域を備える前記狭帯域領域のリソースを前記制御チャネルから除外するための手段
をさらに備える、請求項８に記載の装置。
【請求項１１】
ブロードバンド通信のための前記制御領域を備える前記狭帯域領域の前記リソースを示すメッセージを受信するための手段と、
前記メッセージに少なくとも部分的に基づいて、前記ブロードバンド通信のための前記制御領域を備える前記狭帯域領域の前記リソースを決定するための手段と
をさらに備える、請求項１０に記載の装置。
【請求項１２】
前記制御チャネルが、リソース要素グループ（ＲＥＧ）のセットを備える制御チャネル要素（ＣＣＥ）を備える、請求項８に記載の装置。
【請求項１３】
単一のプリコーダが、前記制御チャネルの各物理リソースブロックペアのために適用される、請求項８に記載の装置。
【請求項１４】
２つまたはそれ以上のプリコーダが、前記制御チャネルの各物理リソースブロックペアをもつリソースに適用される、請求項８に記載の装置。
【請求項１５】
請求項１〜請求項７のうちのいずれか一項に記載の方法を実行するための命令を備える、コンピュータプログラム。
【発明の詳細な説明】
【技術分野】
【０００１】
相互参照
[0001]本特許出願は、各々が本出願の譲受人に譲渡された、２０１５年１０月２９日に出願された、「Narrowband Control Channel Decoding」と題する、Ｃｈｅｎらによる米国特許出願第１４／９２７，２１０号、２０１４年１１月３日に出願された、「CRS Based Control Channel Element」と題する、Ｃｈｅｎらによる米国仮特許出願第６２／０７４，５３５号、および２０１４年１０月３１日に出願された、「CRS Based Control Channel Element」と題する、Ｃｈｅｎらによる米国仮特許出願第６２／０７３，９２３号の優先権を主張する。
【０００２】
[0002]以下は、一般にワイヤレス通信に関し、より詳細には、狭帯域制御チャネル復号に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（たとえば、ＬＴＥ（登録商標）システム）がある。
【０００４】
[0004]例として、ワイヤレス多元接続通信システムは、場合によってはユーザ機器（ＵＥ）として知られ得る、複数の通信デバイスのための通信を各々が同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、通信デバイスと通信し得る。
【０００５】
[0005]場合によっては、いくつかのＵＥは、限られた動作能力を有することがある。たとえば、デバイスＵＥは、ブロードバンド通信のために設計されていないことがある。これは、基地局からある制御情報を受信するＵＥの能力に干渉し得る。
【発明の概要】
【０００６】
[0006]狭帯域制御チャネル復号のためのシステム、方法、および装置について説明する。ユーザ機器（ＵＥ）は、基地局またはＵＥなど、別のワイヤレスノードとの接続を確立し得る。接続は、広帯域システムの狭帯域制御領域を含み得る。ＵＥは、制御チャネルを復号するための復調基準信号（ＤＭ−ＲＳ：demodulation reference signal）をその間に監視すべきサブフレームのセットを識別し得る。識別されたサブフレームまたはリソースブロックは、たとえば、同じプリコーディングを有し得る。ＵＥは、ＤＭ−ＲＳを使用して制御チャネル（たとえば、物理ダウンリンク制御チャネル（ＰＤＣＣＨ））を復号し得る。いくつかの例では、ＵＥは、追加または代替として、セル固有基準信号（ＣＲＳ：cell-specific reference signal）を使用して制御チャネルを復号し得る。ＵＥは、いくつかの例では、たとえば、別のノードから受信されたシグナリングを介して、制御チャネルから除外するためのリソースを決定し得る。たとえば、ＵＥは、狭帯域領域がブロードバンド通信のための制御領域の一部分を含むと決定し得、ＵＥはそれらのリソースを除外し得る。
【０００７】
[0007]ワイヤレス通信の方法について説明する。本方法は、ノードに関連する制御チャネルを復号するための復調基準信号（ＤＭ−ＲＳ）をその間に監視すべき複数のサブフレームを識別することであって、制御チャネルが広帯域システムの狭帯域領域を備え、複数のサブフレームがＤＭ−ＲＳのための同じプリコーディングを有する、識別することと、ＤＭ−ＲＳに少なくとも部分的に基づいて制御チャネルを復号することとを含み得る。
【０００８】
[0008]ワイヤレス通信のための装置について説明する。本装置は、ノードに関連する制御チャネルを復号するための復調基準信号（ＤＭ−ＲＳ）をその間に監視すべき複数のサブフレームを識別するための手段であって、制御チャネルが広帯域システムの狭帯域領域を備え、複数のサブフレームがＤＭ−ＲＳのための同じプリコーディングを有する、識別するための手段と、ＤＭ−ＲＳに少なくとも部分的に基づいて制御チャネルを復号するための手段とを含み得る。
【０００９】
[0009]さらなる装置について説明する。本装置は、プロセッサと、プロセッサと電子通信しているメモリと、メモリに記憶された命令とを含み得る。命令は、プロセッサによって実行されたとき、装置に、ノードに関連する制御チャネルを復号するための復調基準信号（ＤＭ−ＲＳ）をその間に監視すべき複数のサブフレームを識別することであって、制御チャネルが広帯域システムの狭帯域領域を備え、複数のサブフレームがＤＭ−ＲＳのための同じプリコーディングを有する、識別することと、ＤＭ−ＲＳに少なくとも部分的に基づいて制御チャネルを復号することとを行わせるように動作可能であり得る。
【００１０】
[0010]ワイヤレス通信のための非一時的コンピュータ可読媒体について説明する。本非一時的コンピュータ可読媒体は、ワイヤレス通信のためのコードを記憶し得、コードは、ノードに関連する制御チャネルを復号するための復調基準信号（ＤＭ−ＲＳ）をその間に監視すべき複数のサブフレームを識別することであって、制御チャネルが広帯域システムの狭帯域領域を備え、複数のサブフレームがＤＭ−ＲＳのための同じプリコーディングを有する、識別することと、ＤＭ−ＲＳに少なくとも部分的に基づいて制御チャネルを復号することとを行うために実行可能な命令を含み得る。
【００１１】
[0011]上記で説明した方法、装置、または非一時的コンピュータ可読媒体のいくつかの例は、狭帯域領域内で同じプリコーディングを有する２つまたはそれ以上のリソースブロック（ＲＢ）を識別するためのプロセス、特徴、手段、または命令をさらに含み得る。
【００１２】
[0012]上記で説明した方法、装置、または非一時的コンピュータ可読媒体のいくつかの例は、ブロードバンド通信のための制御領域を備える狭帯域領域のリソースを制御チャネルから除外するためのプロセス、特徴、手段、または命令をさらに含み得る。
【００１３】
[0013]上記で説明した方法、装置、または非一時的コンピュータ可読媒体のいくつかの例は、ブロードバンド通信のための制御領域を備える狭帯域領域のリソースを示すメッセージを受信するためのプロセス、特徴、手段、または命令をさらに含み得る。上記で説明した方法、装置、または非一時的コンピュータ可読媒体のいくつかの例は、メッセージに少なくとも部分的に基づいて、ブロードバンド通信のための制御領域を備える狭帯域領域のリソースを決定するためのプロセス、特徴、手段、または命令をさらに含み得る。
【００１４】
[0014]上記で説明した方法、装置、または非一時的コンピュータ可読媒体のいくつかの例では、制御チャネルが、リソース要素グループ（ＲＥＧ：resource element group）のセットを備える制御チャネル要素（ＣＣＥ：control channel element）を備える。
【００１５】
[0015]上記で説明した方法、装置、または非一時的コンピュータ可読媒体のいくつかの例では、ＲＥＧのセットのうちの各ＲＥＧが、狭帯域領域内で複数のサブフレームの間に時間および周波数において分散される。
【００１６】
[0016]上記で説明した方法、装置、または非一時的コンピュータ可読媒体のいくつかの例では、ＲＥＧのセットのうちの各ＲＥＧが、ＤＭ−ＲＳを備えるリソース要素を除外する。
【００１７】
[0017]上記で説明した方法、装置、または非一時的コンピュータ可読媒体のいくつかの例では、ＲＥＧのセットのうちの各ＲＥＧが、セル固有基準信号（ＣＲＳ）を備えるリソース要素を除外する。
【００１８】
[0018]上記で説明した方法、装置、または非一時的コンピュータ可読媒体のいくつかの例では、単一のプリコーダが、制御チャネルの各物理リソースブロックペアのために適用される。
【００１９】
[0019]上記で説明した方法、装置、または非一時的コンピュータ可読媒体のいくつかの例では、２つまたはそれ以上のプリコーダが、制御チャネルの各物理リソースブロックペアをもつリソースに適用される。
【００２０】
[0020]上記で説明した方法、装置、または非一時的コンピュータ可読媒体のいくつかの例では、制御チャネルが、セル固有基準信号（ＣＲＳ）に少なくとも部分的に基づいて復号される。
【００２１】
[0021]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して以下の説明を検討するとより良く理解されよう。図の各々は、例示および説明の目的でのみ与えられるものであり、特許請求の範囲の制限の定義として与えられるものではない。
【００２２】
[0022]本開示の性質および利点のさらなる理解は、以下の図面を参照して実現され得る。添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００２３】
【図１】[0023]本開示の様々な態様による、セル固有基準信号（ＣＲＳ）ベース制御チャネル要素のためのワイヤレス通信システムの一例を示す図。
【図２】[0024]本開示の様々な態様による、狭帯域制御チャネル復号のためのワイヤレス通信システムの一例を示す図。
【図３Ａ】[0025]本開示の様々な態様による、狭帯域制御チャネル復号のためのインデックス付け構成の一例を示す図。
【図３Ｂ】[0026]本開示の様々な態様による、狭帯域制御チャネル復号のためのインデックス付け構成の一例を示す図。
【図３Ｃ】[0027]本開示の様々な態様による、狭帯域制御チャネル復号のためのインデックス付け構成ペアの一例を示す図。
【図４】[0028]本開示の様々な態様による、狭帯域制御チャネル復号のためのプロセスフローの一例を示す図。
【図５】[0029]本開示の様々な態様による、狭帯域制御チャネル復号のために構成されたユーザ機器（ＵＥ）のブロック図。
【図６】[0030]本開示の様々な態様による、狭帯域制御チャネル復号のために構成されたＵＥのブロック図。
【図７】[0031]本開示の様々な態様に従って構成されたＣＲＳベース物理ダウンリンク制御チャネル（ＰＤＣＣＨ）モジュールのブロック図。
【図８】[0032]本開示の様々な態様による、狭帯域制御チャネル復号のために構成されたＵＥを含むシステムのブロック図。
【図９】[0033]本開示の様々な態様による、狭帯域制御チャネル復号のために構成された基地局のブロック図。
【図１０】[0034]本開示の様々な態様に従って構成された基地局ＣＲＳベースＰＤＣＣＨモジュールのブロック図。
【図１１】[0035]本開示の様々な態様による、狭帯域制御チャネル復号のために構成された基地局のブロック図。
【図１２】[0036]本開示の様々な態様による、狭帯域制御チャネル復号のために構成された基地局を含むシステムのブロック図。
【図１３】[0037]本開示の様々な態様による、狭帯域制御チャネル復号のための方法を示すフローチャート。
【図１４】[0038]本開示の様々な態様による、狭帯域制御チャネル復号のための方法を示すフローチャート。
【図１５】[0039]本開示の様々な態様による、狭帯域制御チャネル復号のための方法を示すフローチャート。
【図１６】[0040]本開示の様々な態様による、狭帯域制御チャネル復号のための方法を示すフローチャート。
【図１７】[0041]本開示の様々な態様による、狭帯域制御チャネル復号のための方法を示すフローチャート。
【図１８】[0042]本開示の様々な態様による、狭帯域制御チャネル復号のための方法を示すフローチャート。
【図１９】[0043]本開示の様々な態様による、狭帯域制御チャネル復号のための方法を示すフローチャート。
【図２０】[0044]本開示の様々な態様による、狭帯域制御チャネル復号のための方法を示すフローチャート。
【図２１】[0045]本開示の様々な態様による、狭帯域制御チャネル復号のための方法を示すフローチャート。
【発明を実施するための形態】
【００２４】
[0046]ユーザ機器（ＵＥ）は、基地局またはＵＥなど、別のワイヤレスノードとの接続を確立し得る。本明細書で説明するように、接続は、広帯域システムの狭帯域制御領域を含み得、ＵＥは、復調基準信号（ＤＭ−ＲＳ）またはセル固有基準信号（ＣＲＳ）、あるいは両方を使用して狭帯域制御領域中で受信された制御チャネルを復号し得る。本明細書で説明する例示的なワイヤレスシステムのいくつかは、マシンツーマシン（Ｍ２Ｍ：Machine-to-Machine）通信またはマシンタイプ通信（ＭＴＣ：Machine Type Communication）として知られる自動化された通信を与える。Ｍ２ＭまたはＭＴＣは、人間の介入なしに通信するＵＥなど、技術またはデバイスを指すことがある。場合によっては、ＵＥは、より複雑な動作が可能であり得るにもかかわらず、いくつかの制約（たとえば、狭帯域動作）に従って動作し得る。一方、ＭＴＣデバイスなど、いくつかのデバイスは、限られた能力を有することがあり、それに応じて動作し得る。
【００２５】
[0047]例として、いくつかのデバイス（たとえば、ＵＥまたはＭＴＣデバイス）はブロードバンド能力を有し得、他のデバイスは狭帯域通信に制限され得る。この狭帯域制限は、たとえば、基地局によってサービスされる全帯域幅を使用して制御チャネル情報を受信するデバイスの能力に干渉し得る。ロングタームエボリューション（ＬＴＥ）など、いくつかのワイヤレス通信システムでは、制限された帯域幅能力を有するＭＴＣデバイス（または同様の能力をもつ別のデバイス）は、カテゴリ０デバイスと呼ばれることがある。
【００２６】
[0048]場合によっては、ＭＴＣデバイスは低減されたピークデータレートを有していることがある（たとえば、最大トランスポートブロックサイズは１０００ビットであり得る）。さらに、ＭＴＣデバイスは、ランク１送信と受信するための１つのアンテナとを有し得る。これは、ＭＴＣデバイスを半二重通信（half-duplex communication）に制限し得る（すなわち、デバイスは、同時に送信および受信することが可能でないことがある）。ＭＴＣデバイスが半二重（half-duplex）である場合、それは、（たとえば、送信（Ｔｘ）から受信（Ｒｘ）へのまたはその逆の）切替え時間を緩和（relax）していることがある。たとえば、非ＭＴＣデバイスのための公称切替え時間は２０μｓであり得、ＭＴＣデバイスのための切替え時間は１ｍｓであり得る。ワイヤレスシステム中のＭＴＣ拡張（ｅＭＴＣ）は、狭帯域ＭＴＣデバイスが、より広いシステム帯域幅動作（たとえば、１．４／３／５／１０／１５／２０ＭＨｚ）内で効果的に動作することを可能にし得る。たとえば、ＭＴＣデバイスは、１．４ＭＨｚ帯域幅（すなわち、６つのリソースブロック）をサポートし得る。いくつかの事例では、そのようなＭＴＣデバイスのカバレージ拡張は、（たとえば、最高１５ｄＢの）電力ブースティングによって達成され得る。
【００２７】
[0049]本開示によれば、ＭＴＣデバイスまたは狭帯域動作をサポートする別のＵＥであり得るＵＥは、広帯域システムの狭帯域制御領域を使用して別のワイヤレスノードとの接続を確立し得る。ＵＥは、セル固有基準信号（ＣＲＳ）ベース復調方式に関連するリソース要素インデックス付け構成（resource element indexing configuration）に基づいて、狭帯域制御領域内で狭帯域制御チャネルまたはＭＴＣ物理ＤＬ制御チャネル（ｍＰＤＣＣＨ）のためのリソースのセットを識別し得る。ＵＥは、次いで、識別されたリソースを使用してｍＰＤＣＣＨを受信し、ＣＲＳ復調方式に基づいてｍＰＤＣＣＨを復調し得る。いくつかの例では、リソース要素インデックス付け構成は、ＣＲＳのために使用されるリソース要素を除外し得る。いくつかの例では、リソース要素インデックス付け構成は、復調基準信号（ＤＭ−ＲＳ）のために使用されるリソース要素を除外し得る。いくつかの例では、ＤＭ−ＲＳリソース要素は別々にインデックス付けされ得る。
【００２８】
[0050]場合によっては、ＵＥまたは基地局は、カバレージおよびトラフィック考慮事項に基づいて、どのインデックス付け構成を使用すべきかを決定し得る。たとえば、カバレージ拡張の必要がないＵＥは、ＣＲＳベース変調のみが使用される代替形態を採用し得る。一方、カバレージ拡張の必要があるＵＥは、復調がＣＲＳとＤＭ−ＲＳの両方に基づく代替形態を使用し得る。
【００２９】
[0051]以下の説明は、例を与えるものであり、特許請求の範囲に記載された範囲、適用可能性、または例を限定するものではない。以下の説明の大部分はＭＴＣデバイスに関係する例について説明するが、その説明はそのようなデバイスに限定されない。本開示の範囲から逸脱することなく、説明する要素の機能および構成において変更が行われ得る。様々な例は、適宜に様々なプロシージャまたはコンポーネントを省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００３０】
[0052]図１に、本開示の様々な態様による、ワイヤレス通信システム１００の一例を示す。システム１００は、基地局１０５と、少なくとも１つのＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通して、コアネットワーク１３０とインターフェースする。基地局１０５は、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００３１】
[0053]基地局１０５は、１つまたは複数の基地局アンテナを介してＵＥ１１５とワイヤレス通信し得る。基地局１０５の各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００３２】
[0054]いくつかの例では、ワイヤレス通信システム１００はＬＴＥ／ＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＭＴＣデバイスを含み得るＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００３３】
[0055]マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、同じまたは異なる（たとえば、認可、無認可などの）周波数帯域内でマクロセルとして動作し得る低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥ１１５による無制限アクセスを可能にし得る。フェムトセルは、小さい地理的エリア（たとえば、自宅）を同じくカバーし得、フェムトセルとの関連を有するＵＥ１１５（たとえば、限定加入者グループ（ＣＳＧ：closed subscriber group）中のＵＥ１１５、自宅内のユーザのためのＵＥ１１５など）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。
【００３４】
[0056]ワイヤレス通信システム１００は同期動作または非同期動作をサポートし得る。同期動作の場合、基地局１０５は同様のフレームタイミングを有し得、異なる基地局１０５からの送信は時間的に近似的にアライメントされ得る。非同期動作の場合、基地局１０５は異なるフレームタイミングを有し得、異なる基地局１０５からの送信は時間的にアライメントされないことがある。本明細書で説明する技法は、同期動作または非同期動作のいずれかのために使用され得る。
【００３５】
[0057]様々な開示する例のうちのいくつかに適応し得る通信ネットワークは、階層化プロトコルスタックに従って動作するパケットベースネットワークであり得、ユーザプレーン中のデータはＩＰに基づき得る。無線リンク制御（ＲＬＣ：Radio Link Control）レイヤが、論理チャネル上で通信するために、パケットセグメンテーションおよびリアセンブリを実行し得る。媒体アクセス制御（ＭＡＣ：Medium Access Control）レイヤが、優先度ハンドリングと、トランスポートチャネルへの論理チャネルの多重化とを実行し得る。ＭＡＣレイヤはまた、リンク効率を改善するために、ＭＡＣレイヤにおいて再送信を行うためにハイブリッド自動再送要求（ＨＡＲＱ）を使用し得る。制御プレーンでは、無線リソース制御（ＲＲＣ）プロトコルレイヤが、ＵＥ１１５と基地局１０５との間のＲＲＣ接続の確立と構成と維持とを行い得る。ＲＲＣプロトコルレイヤはまた、ユーザプレーンデータのための無線ベアラのコアネットワーク１３０サポートのために使用され得る。物理（ＰＨＹ）レイヤにおいて、トランスポートチャネルは物理チャネルにマッピングされ得る。
【００３６】
[0058]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む様々なタイプの基地局およびネットワーク機器と通信することが可能であり得る。
【００３７】
[0059]上述のように、いくつかのタイプのワイヤレスデバイスは、自動化された通信を提供し得る。自動化されたワイヤレスデバイスは、デバイスが人の介入なしに互いとまたは基地局と通信することを可能にし得る、マシンツーマシン（Ｍ２Ｍ）通信またはマシンタイプ通信（ＭＴＣ）を実装するものを含み得る。たとえば、Ｍ２ＭまたはＭＴＣは、センサーまたはメーターを組み込んで情報を測定またはキャプチャし、情報を活用することができる中央サーバまたはアプリケーションプログラムにその情報を中継する、またはプログラムもしくはアプリケーションと対話する人間に情報を提示するデバイスからの通信を指すことがある。いくつかのＵＥ１１５は、情報を収集する、または機械の自動化された挙動を可能にするように設計されたものなど、ＭＴＣデバイスであり得る。ＭＴＣデバイスのための適用例の例としては、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金がある。ＭＴＣデバイスは、低減されたピークレートにおいて半二重（一方向）通信を使用して動作し得る。ＭＴＣデバイスはまた、アクティブ通信に参加しているとき、電力節約「ディープスリープ」モードに入るように構成され得る。いくつかの例では、ＵＥ１１５は、カテゴリ０ＵＥ（たとえば、狭帯域ＭＴＣデバイス）である。
【００３８】
[0060]ワイヤレス通信システム１００に示された通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。以下で説明するように、通信リンク１２５は狭帯域制御領域を含み得る。いくつかの例では、ＰＤＣＣＨ（たとえば、ｍＰＤＣＣＨ）は、あるリソース要素インデックス付け構成を利用して狭帯域制御領域のリソース上で送信され得る。通信リンク１２５は、周波数分割複信（ＦＤＤ）を使用して（たとえば、対スペクトルリソースを使用して）、または時分割複信（ＴＤＤ）動作を使用して（たとえば、不対スペクトルリソースを使用して）双方向通信を送信し得る。フレーム構造は、ＦＤＤ（たとえば、フレーム構造タイプ１）およびＴＤＤ（たとえば、フレーム構造タイプ２）のために定義され得る。
【００３９】
[0061]基地局１０５は、（たとえば、ＵＥ１１５のチャネル推定およびコヒーレント復調を助けるために）ワイヤレス通信リンク１２５の効率を改善するためにＣＲＳなどの周期パイロットシンボルを挿入し得る。ＰＤＣＣＨなどの制御チャネルは、ＣＲＳに基づいて、たとえば、ＣＲＳベース復調方式に従って復調され得る。ＣＲＳは、５０４個の異なるセル識別情報のうちの１つを含み得る。それらは、それらを雑音および干渉に対して耐性があるようにするために、４位相シフトキーイング（ＱＰＳＫ：quadrature phase shift keying）とブーストされた（たとえば、周囲のデータ要素よりも高い６ｄＢにおいて送信された）電力とを使用して変調され得る。ＣＲＳは、受信ＵＥ１１５のアンテナポートまたはレイヤの数（最高４つ）に基づいて各リソースブロック中の４〜２４個のリソース要素中に埋め込まれ得る。基地局１０５のカバレージエリア１１０中のすべてのＵＥ１１５によって利用され得るＣＲＳに加えて、ＵＥ固有基準信号と呼ばれることもある、復調基準信号（ＤＭ−ＲＳ）は、特定のＵＥ１１５を対象とし得、それらのＵＥ１１５に割り当てられたリソースブロック上でのみ送信され得る。ＤＭ−ＲＳは、それらが送信される各リソースブロック中の２４個のリソース要素上に信号を含み得る。場合によっては、ＤＭ−ＲＳの２つのセットは、隣接するリソース要素中で送信され得る。場合によっては、チャネル状態情報基準信号（ＣＳＩ−ＲＳ）として知られる追加の基準信号が、チャネル状態情報（ＣＳＩ）を生成するのを助けるために含まれ得る。アップリンク上で、ＵＥ１１５は、それぞれ、リンク適応および復調のための周期サウンディング基準信号（ＳＲＳ）とアップリンクＤＭ−ＲＳの組合せを送信し得る。
【００４０】
[0062]ワイヤレス通信リンク１２５はまた、デバイスツーデバイス（Ｄ２Ｄ）通信として知られる構成でＵＥ１１５間に確立され得る。Ｄ２Ｄ通信を利用するＵＥ１１５のグループのうちの１つまたは複数が、セルのカバレージエリア１１０内にあり得る。そのようなグループ中の他のＵＥ１１５は、セルのカバレージエリア１１０外にあるか、またはさもなければ、基地局１０５からの送信を受信することができないことがある。場合によっては、Ｄ２Ｄ通信を介して通信するＵＥ１１５のグループは、各ＵＥ１１５がグループ中のあらゆる他のＵＥ１１５に送信する１対多（１：Ｍ）システムを利用し得る。場合によっては、基地局１０５が、Ｄ２Ｄ通信のためのリソースのスケジューリングを促進する。他の場合には、Ｄ２Ｄ通信は基地局１０５とは無関係に実行される。Ｄ２Ｄ実装形態内のデバイスは、ノードと呼ばれることがある。
【００４１】
[0063]システム１００のいくつかの実施形態では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００４２】
[0064]ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００４３】
[0065]ＬＴＥシステムは、ＤＬ上では直交周波数分割多元接続（ＯＦＤＭＡ）を利用し、ＵＬ上ではシングルキャリア周波数分割多元接続（ＳＣ−ＦＤＭＡ）を利用し得る。ＯＦＤＭＡおよびＳＣ−ＦＤＭＡは、システム帯域幅を、一般にトーンまたはビンとも呼ばれる複数（Ｋ個）の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、それぞれ、１．４、３、５、１０、１５、または２０メガヘルツ（ＭＨｚ）の（ガードバンドをもつ）対応するシステム帯域幅について、１５キロヘルツ（ＫＨｚ）のサブキャリア間隔の場合、７２、１８０、３００、６００、９００、または１２００に等しくなり得る。システム帯域幅はまた、サブバンドに区分され得る。たとえば、サブバンドは１．０８ＭＨｚをカバーし得、１つ、２つ、４つ、８つまたは１６個のサブバンドがあり得る。
【００４４】
[0066]フレーム構造は、同じく物理リソースを編成するために使用され得る。時間間隔は、基本時間単位（たとえば、サンプリング周期、Ｔｓ＝１／３０，７２０，０００秒）の倍数単位で表され得る。時間リソースは、０から１０２３に及ぶシステムフレーム番号（ＳＦＮ）によって識別され得る、１０ｍｓの長さの無線フレーム（Ｔｆ＝３０７２００Ｔｓ）に従って編成され得る。各フレームは、０から９までの番号を付けられた１０個の１ｍｓサブフレームを含み得る。サブフレームは、その各々が（各シンボルにプリペンドされたサイクリックプレフィックスの長さに応じて）６つまたは７つの変調シンボル期間を含んでいる、２つの０．５ｍｓスロットにさらに分割され得る。サイクリックプレフィックスを除いて、各シンボルは２０４８個のサンプル期間を含んでいる。場合によっては、サブフレームは、送信時間間隔（ＴＴＩ）としても知られる、最も小さいスケジューリングユニットであり得る。他の場合には、ＴＴＩは、サブフレームよりも短いことがあるか、または（たとえば、短いＴＴＩバーストにおいて、または短いＴＴＩを使用する選択されたコンポーネントキャリアにおいて）動的に選択され得る。
【００４５】
[0067]リソース要素（ＲＥ）は、１つのシンボル期間と１つのサブキャリア（１５Ｋｈｚ周波数範囲）とからなり得る。リソースブロック（ＲＢ）は、周波数領域中に１２個の連続するサブキャリアを含んでおり、各ＯＦＤＭシンボル中のノーマルサイクリックプレフィックスについて、時間領域（１つのスロット）中に７つの連続するＯＦＤＭシンボルを含んでおり、すなわち８４個のリソース要素を含んでいることがある。いくつかのＲＥは、ＤＬ基準信号（ＤＬ−ＲＳ）を含み得る。ＤＬ−ＲＳは、ＣＲＳおよびＵＥ固有ＲＳ（ＵＥ−ＲＳ）または復調基準信号（ＤＭ−ＲＳ）を含み得る。場合によっては、基準信号は、ＰＤＳＣＨに関連するリソースブロック上で送信され得る。各ＲＥによって搬送されるビット数は、変調方式（各シンボル期間中に選択され得るシンボルの構成）に依存し得る。したがって、ＵＥが受信するリソースブロックが多いほど、また変調方式が高いほど、ＵＥのデータレートは高くなり得る。
【００４６】
[0068]データは、論理チャネルと、トランスポートチャネルと、物理レイヤチャネルとに分割され得る。チャネルはまた、制御チャネルとトラフィックチャネルとに分類され得る。ＤＬ物理チャネルは、ブロードキャスト情報のための物理ブロードキャストチャネル（ＰＢＣＨ）、制御フォーマット情報のための物理制御フォーマットインジケータチャネル（ＰＣＦＩＣＨ）、制御およびスケジューリング情報のためのＰＤＣＣＨ、ＨＡＲＱステータスメッセージのための物理ＨＡＲＱインジケータチャネル（ＰＨＩＣＨ）、ユーザデータのための物理ダウンリンク共有チャネル（ＰＤＳＣＨ）、ならびにマルチキャストデータのための物理マルチキャストチャネル（ＰＭＣＨ）を含み得る。ＵＬ物理チャネルは、アクセスメッセージのための物理ランダムアクセスチャネル（ＰＲＡＣＨ）、制御データのための物理アップリンク制御チャネル（ＰＵＣＣＨ）、およびユーザデータのための物理アップリンク共有チャネル（ＰＵＳＣＨ）を含み得る。
【００４７】
[0069]ＰＤＣＣＨは、制御チャネル要素（ＣＣＥ）中でダウンリンク制御情報（ＤＣＩ）を搬送し、これは、リソースブロックの最初の数個のシンボル中にある９つの論理的に連続するリソース要素グループ（ＲＥＧ）からなり得、ここで、各ＲＥＧは４つのＲＥを含んでいる。他の例では、本開示によれば、ＣＣＥ（たとえば、ＭＴＣまたは狭帯域通信のために設計されたＣＣＥ）は、９つまたはそれ以上のＲＥを含んでいる４つの不連続ＲＥＧを含み得る。ＭＴＣデバイスまたは他のＵＥ１１５は、ＤＭ−ＲＳに基づいて発展型物理ダウンリンク制御チャネル（ｅＰＤＣＣＨ：evolved physical downlink control channel）を使用するか、またはＣＲＳに基づいてＭＴＣ  ＰＤＣＣＨ（ｍＰＤＣＣＨ）を使用し得、その両方が、多地点協調（ＣｏＭＰ）、ＤＬ多入力多出力（ＭＩＭＯ）拡張、およびセル間干渉協調（ＩＣＩＣ）またはさらなる拡張ＩＣＩＣを可能にし得る。たとえば、ＰＤＣＣＨのように、サブフレーム中の最初の数個のシンボルにわたる代わりに、ｅＰＤＣＣＨまたはｍＰＤＣＣＨは、選択されたサブキャリアを使用してサブフレーム全体にわたり得る（たとえば、それは周波数分割多重化（ＦＤＭ）され得る）。場合によっては、ＤＭ−ＲＳベースのｅＰＤＣＣＨがサポートされ得、他の場合には、ＣＲＳベースのＰＤＣＣＨまたはｍＰＤＣＣＨがサポートされ得る。したがって、ｅＰＤＣＣＨまたはｍＰＤＣＣＨは、ＵＥ固有に構成され得る（たとえば、各ＵＥは、リソースの異なるセットを監視するように構成され得る）。場合によっては、ｅＰＤＣＣＨまたはｍＰＤＣＣＨ動作のための２つのモード、すなわち、局所ｅＰＤＣＣＨおよび分散ｅＰＤＣＣＨがあり得る。局所モードでは、単一のプリコーダが、制御チャネルのものなど、各物理リソースブロック（ＰＲＢ：physical resource block）ペアのために適用され得る。分散モードでは、２つまたはそれ以上のプリコーダが、制御チャネルのものなど、各ＰＲＢペア内の割り振られたリソースに適用され得るか、またはそれらのリソースを巡回し得る。
【００４８】
[0070]ＰＤＣＣＨ、ｅＰＤＣＣＨ、またはｍＰＤＣＣＨ中に含まれるＤＣＩは、ＤＬスケジューリング割当て、ＵＬリソース許可、送信方式、ＵＬ電力制御、ＨＡＲＱ情報、変調およびコーディング方式（ＭＣＳ）に関する情報、ならびに他の情報を含み得る。ＤＣＩメッセージのサイズおよびフォーマットは、ＤＣＩによって搬送される情報のタイプおよび量に応じて異なることができる。たとえば、空間多重化がサポートされる場合、ＤＣＩメッセージのサイズは、連続周波数割当てと比較して大きくなり得る。同様に、ＭＩＭＯを採用するシステムの場合、ＤＣＩは、追加のシグナリング情報を含み得る。ＤＣＩサイズおよびフォーマットは、情報の量、ならびに帯域幅、アンテナポートの数、および複信モードなどのファクタにも依存し得る。
【００４９】
[0071]ＰＤＣＣＨは複数のユーザに関連するＤＣＩメッセージを搬送することができ、各ＵＥ１１５は、それを対象とするＤＣＩメッセージを復号し得る。たとえば、各ＵＥ１１５はセル無線ネットワーク一時識別情報（Ｃ−ＲＮＴＩ：cell radio network temporary identity）を割り当てられ得、各ＤＣＩにアタッチされた巡回冗長検査（ＣＲＣ）ビットが、Ｃ−ＲＮＴＩに基づいてスクランブルされ得る。ユーザ機器における電力消費およびオーバーヘッドを低減するために、ＣＣＥロケーションの限られたセットが、特定のＵＥ１１５に関連するＤＣＩのために指定され得る。ＣＣＥが（たとえば、１つ、２つ、４つおよび８つのＣＣＥのグループに）グループ化され、ユーザ機器が、関係するＤＣＩを発見し得る、ＣＣＥロケーションのセットが指定され得る。これらのＣＣＥは、探索空間として知られることがある。探索空間は、共通ＣＣＥ領域または探索空間と、ＵＥ固有（専用）ＣＣＥ領域または探索空間との２つの領域に区分され得る。共通ＣＣＥ領域は、基地局１０５によってサービスされるすべてのＵＥによって監視され得、ページング情報、システム情報、ランダムアクセスプロシージャなどの情報を含み得る。ＵＥ固有探索空間は、ユーザ固有制御情報を含み得る。場合によっては、ＣＣＥはインデックス付けされ得、共通探索空間はＣＣＥ０から開始し得る。ＵＥ固有探索空間のための開始インデックスは、Ｃ−ＲＮＴＩ、サブフレームインデックス、ＣＣＥアグリゲーションレベルおよびランダムシードに依存し得る。ＵＥ１１５は、ＤＣＩが検出されるまで探索空間がその間にランダムに復号される、ブラインド復号として知られるプロセスを実行することによってＤＣＩを復号しようと試み得る。ブラインド復号の間に、ＵＥ１１５は、それのＣ−ＲＮＴＩを使用してすべての潜在的ＤＣＩメッセージをデスクランブルすることを試み、その試みが成功したかどうかを決定するためにＣＲＣチェックを実行し得る。
【００５０】
[0072]本開示によれば、ＭＴＣデバイスなどのＵＥ１１５は、基地局１０５または別のＵＥなど、別のワイヤレスノードとの接続を確立し得る。接続は、狭帯域制御領域を含み得る。ＵＥ１１５は、ＣＲＳベース復調方式に関連するＲＥインデックス付け構成に基づいて、狭帯域制御領域内でｍＰＤＣＣＨのためのリソースのセットを識別し得る。ＵＥ１１５は、次いで、識別されたリソースを使用してｍＰＤＣＣＨを受信し、ＣＲＳベース復調方式に基づいてｍＰＤＣＣＨを復調し得る。いくつかの例では、ＲＥインデックス付け構成は、ＣＲＳのために使用されるＲＥを除外し得る。いくつかの例では、ＲＥインデックス付け構成は、ＤＭ−ＲＳのために使用されるＲＥを除外し得る。いくつかの例では、ＤＭ−ＲＳ  ＲＥは別々にインデックス付けされ得る。
【００５１】
[0073]図２に、本開示の様々な態様による、ＣＲＳベース制御チャネル要素のためのワイヤレス通信システム２００の一例を示す。ワイヤレス通信システム２００は、図１を参照しながら上記で説明したＵＥ１１５の一例であり得る、ＵＥ１１５−ａを含み得る。いくつかの例では、ＵＥ１１５−ａは、ＭＴＣデバイスである。ワイヤレス通信システム２００はまた、図１を参照しながら上記で説明した基地局１０５の一例であり得る、基地局１０５−ａも含み得る。基地局１０５−ａは、図１に関して全体的に説明したように、ダウンリンク２０５を介してそれのカバレージエリア１１０−ａ内のＵＥ１１５に制御情報およびデータを送信し得る。たとえば、ダウンリンク２０５は、セルの周波数トーンの全範囲を利用しないことがある狭帯域接続であり得る。たとえば、狭帯域領域は、ＵＥ１１５−ａの能力に基づいて選択され得る。本開示のいくつかの例では、基地局１０５−ａによって実行されるアクションは、Ｄ２Ｄ動作に従って別のＵＥ１１５（図示せず）によって実行され得る。したがって、基地局１０５−ａはノードと呼ばれることがあり、システムの、いくつかのＵＥを含む他のノードは、基地局１０５−ａと同じまたは同様の機能を実行し得る。
【００５２】
[0074]ＵＥ１１５−ａは、選択された周波数トーンを利用し得、サブフレームの各シンボル期間にわたって拡張し得る狭帯域制御領域を介して制御情報を受信し得る。制御情報は、ＣＲＳベース復調に関連するインデックス付け方式によって識別されるリソースを利用し得る。ＵＥ１１５−ａは、ダウンリンク２０５によって伝達されるデータのコヒーレント復調のために、基地局１０５−ａによって送信されたＣＲＳ（および、場合によっては、ＤＭ−ＲＳ）を使用し得る。
【００５３】
[0075]したがって、ＵＥ１１５−ａは、ダウンリンク２０５を含む基地局１０５−ａとの接続を確立し、狭帯域制御領域を利用してダウンリンク２０５を介してデータを受信し得る。ＵＥ１１５−ａは、ＣＲＳベース復調方式に関連するＲＥインデックス付け構成に基づいて、狭帯域制御領域内でＰＤＣＣＨ（たとえば、ＭＴＣデバイスによる使用のために設計されたｍＰＤＣＣＨ）のためのリソースのセットを識別し得る。ＵＥ１１５−ａは、次いで、識別されたリソースを使用してＰＤＣＣＨを受信し、ＣＲＳに基づいてＰＤＣＣＨを復調し得る。図３Ａ、図３Ｂ、および図３Ｃを参照しながら以下で説明するように、いくつかの例では、ＲＥインデックス付け構成は、ＣＲＳのために使用されるＲＥを除外し得る。いくつかの例では、ＲＥインデックス付け構成は、ＤＭ−ＲＳのために使用されるＲＥを除外し得る。いくつかの例では、ＤＭ−ＲＳ  ＲＥは別々にインデックス付けされ得る。
【００５４】
[0076]図３Ａに、本開示の様々な態様による、ＣＲＳベース制御チャネル要素のためのインデックス付け構成３０１の一例を示す。インデックス付け構成３０１は、図２を参照しながら上記で説明したダウンリンク２０５の態様を表し得る。インデックス付け構成３０１は、時間領域中の１４個のシンボル期間（１つのサブフレーム）および周波数領域中の１２個のトーン（１つのＲＢ）の構成を示し得る。各ＲＥは、１つのトーンに対する１つのシンボル期間中に含まれる時間および周波数リソースに対応し得る。インデックス付け構成３０１は、インデックス付き制御領域ＲＥ３０５−ａと非インデックス付きＣＲＳ  ＲＥ３１０とを含み得、それらの構成は、通信において使用されるアンテナおよびレイヤの数に基づき得る。場合によっては、非インデックス付きＲＥは、最大ＣＲＳ構成（すなわち、最大数のアンテナポートの場合）に対応し得る。
【００５５】
[0077]インデックス付け構成３０１のＲＥは、インデックスに基づいてＭＴＣリソース要素グループ（ｍＲＥＧ）にグループ化され得る。ある場合には、９つのＲＥが１つのｍＲＥＧを構成し得る。４つのｍＲＥＧ（すなわち、３６個のＲＥ）のグループがＭＴＣ制御チャネル要素（ｍＣＣＥ）を構成し得、１つまたは複数のｍＣＣＥがｍＰＤＣＣＨを含んでいることがある（たとえば、ｍＰＤＣＣＨごとのｍＣＣＥの数は、ＵＥ１１５のアグリゲーションレベルパラメータに依存し得る）。
【００５６】
[0078]インデックス付け構成３０１のＲＥは１６個のｍＲＥＧに分割され得、１６個のｍＲＥＧはそれらのインデックスに従って区別され得る。たとえば、インデックス０をもつインデックス付き制御領域ＲＥ３０５−ａのすべてが、単一のｍＲＥＧに対応し得る。インデックス付け構成３０１に示されているように、ＲＥのインデックス付けは、周波数第１−時間第２（frequency-first-time-second）方式で行われ得る。しかしながら、いくつかの方式では、インデックス付けは、時間第１−周波数第２（time-first-frequency-second）方式で行われ得る。インデックス付け方式にかかわらず、ＣＲＳ  ＲＥ３１０は、インデックス付けから除外され得る。たとえば、ＲＥのインデックス付けは、トーン０、シンボル期間０におけるＲＥ要素において開始する代わりに、トーン１、シンボル期間０のためのＲＥにおいて開始し得る。インデックス付けは、シーケンシャル（sequential）な方式で続き、ＣＲＳ  ＲＥ３１０をスキップしながらトーンおよびシンボル期間にわたって進み得る。インデックス付け構成３０１のトーンは連続的（contiguous）として示されているが、いくつかの例では、トーンは連続的でないことがある。
【００５７】
[0079]したがって、ｍＰＤＣＣＨは、ｍＲＥＧおよびｍＣＣＥに基づいて構築され得る。たとえば、ノーマルＣＰは、ｍＲＥＧについて１４４個のＲＥを生じ、すなわち、１２個のトーン×１４個のシンボル−２４個のＣＲＳ＝１４４個のＲＥであり得る。場合によっては、各ＰＲＢペアは、サブフレームタイプ、ＣＰタイプ、ＰＲＢペアインデックス、サブフレームインデックスなどにかかわらず、１６個のｍＲＥＧを含み得る。たとえば、ノーマルＣＰについてｍＲＥＧごとに９つのＲＥがあり得、拡張ＣＰについてｍＲＥＧごとに８つのＲＥがあり得る。他の信号の存在により、ｍＰＤＣＣＨのための利用可能なＲＥの数は固定でないことがあり、ＰＲＢペア中の異なるｍＲＥＧについて異なることがある。たとえば、いくつかのインデックス付き制御領域ＲＥ３０５−ａは、他の信号によって占有され得る。場合によっては、ｍＰＤＣＣＨなどの制御チャネルは、ｍＲＥＧなどのＲＥＧのセットを含み得る、ｍＣＣＥなどのＣＣＥを含み得る。ＲＥＧのセットの各ＲＥＧは、狭帯域制御領域内のサブフレームの間など、時間および周波数において分散され得る。場合によっては、ＲＥＧのセットのうちの各ＲＥＧは、ＤＭ−ＲＳを含むリソース要素を除外する。場合によっては、ＲＥＧのセットのうちの各ＲＥＧは、ＣＲＳを含むリソース要素を除外する。
【００５８】
[0080]ｍＣＣＥは、４つのインデックス（したがって、４つのｍＲＥＧ）を選択することによって定義され得る。したがって、第１のグループ（グループ＃０）は、そのＲＥが番号０、４、８、および１２でインデックス付けされるｍＲＥＧを含み得る。第２のグループ（グループ＃１）は、そのＲＥが番号１、５、９、および１３でインデックス付けされるｍＲＥＧを含み得る。第３のグループ（グループ＃２）は、そのＲＥが番号２、６、１０、および１４でインデックス付けされるｍＲＥＧを含み得る。第４のグループ（グループ＃３）は、そのＲＥが番号３、７、１１、および１５でインデックス付けされるｍＲＥＧを含み得る。
【００５９】
[0081]ｍＣＣＥが４つのｍＲＥＧによって形成されるとき、ｍＣＣＥは単一のｍＲＥＧグループによって形成され得る。しかしながら、場合によっては、ｍＣＣＥは、８つのｍＲＥＧまたは２つのｍＲＥＧグループ（たとえば、グループ＃０およびグループ＃２またはグループ＃１およびグループ＃３）によって形成され得る。場合によっては、ｍＲＥＧグループ中のｍＲＥＧのロケーションは、ｍＰＤＣＣＨのモードに依存し得、詳細なマッピングは、ｍＰＤＣＣＨのために構成されたＰＲＢペアの数に依存し得る。局所ｍＰＤＣＣＨの場合、同じグループのｍＲＥＧは同じＰＲＢペアから来ることがある。さらに、局所ｍＰＤＣＣＨの場合、各ｍＣＣＥはＰＲＢペア内で定義され得る。分散ｍＰＤＣＣＨの場合、同じグループのｍＲＥＧは異なるＰＲＢペアから来ることがある（すなわち、各ｍＣＣＥはいくつかのＰＲＢペアにわたって定義され得る）。たとえば、ｍＣＣＥは、ＰＲＢペア０からのｍＲＥＧ０と、ＰＲＢペア１のｍＲＥＧ４と、ＰＲＢペア２のｍＲＥＧ８と、ＰＲＢペア３のｍＲＥＧ１２とからなり得る。いくつかの例では、４つのＰＲＢペアは連続であり得、他の例では、４つのＰＲＢペアは連続でないことがある。
【００６０】
[0082]ｍＰＤＣＣＨのためのｍＣＣＥごとの利用可能なＲＥの数は固定でないことがあり、異なるｍＣＣＥについて異なり得る。しかしながら、ｍＲＥＧグループ化ベースのｍＣＣＥ定義は、ｍＣＣＥごとの利用可能なＲＥの数を等化するのを助け得る（たとえば、２つのＣＲＳポート、ノーマルＣＰ、通常サブフレーム）。
【００６１】
[0083]場合によっては、各ＵＥは、最高Ｋ＝２つのｍＰＤＣＣＨリソースセットで構成され得る。各リソースセットは、Ｍ＝２、４、または６つのＰＲＢペアで別々に構成され得る。さらに、各リソースセットは、局所モードまたは分散モードのいずれかで構成され得る。局所ｍＰＤＣＣＨのための探索空間に関して、候補は、ｍＰＤＣＣＨのためのサブバンドスケジューリングを活用するために、できる限り多くの異なるＰＲＢペアにおいて離間させられ得る。分散ｍＰＤＣＣＨのための探索空間は、図１を参照しながら上記で説明したＰＤＣＣＨと同様であり得る。場合によっては、ＵＥに知られている他の信号（たとえば、レガシー制御領域、ＣＲＳ、ＵＥ固有に構成されたチャネル状態情報基準信号（ＣＳＩ−ＲＳ）など）によって占有されたＲＥは、ｍＰＤＣＣＨによってレートマッチングされ得る。
【００６２】
[0084]図３Ｂに、本開示の様々な態様による、狭帯域制御チャネル復号のためのインデックス付け構成３０２の一例を示す。インデックス付け構成３０２は、図２を参照しながら上記で説明したダウンリンク２０５の態様を表し得るインデックス付け構成３０２は、時間領域中の１４個のシンボル期間（１つのサブフレーム）および周波数領域中の１２個のトーン（１つのＲＢ）の構成を示し得る。各ＲＥは、１つのトーンに対する１つのシンボル期間中に含まれる時間および周波数リソースに対応し得る。インデックス付け構成３０２は、インデックス付き制御領域ＲＥ３０５−ｂと非インデックス付きＤＭ−ＲＳ  ＲＥ３１５とを含み得る。場合によっては、ＤＭ−ＲＳ  ＲＥ３１５の数は、サイクリックプレフィックス（ＣＰ）に基づき得る。たとえば、ｍＲＥＧは、ノーマルＣＰについて２４個のＤＭ−ＲＳ  ＲＥを含み得、拡張ＣＰについて１６個のＤＭ−ＲＳを含み得る。インデックス付け構成３０２は、図３Ａを参照しながら説明したインデックス付け構成３０１の態様を含み得る。
【００６３】
[0085]インデックス付け構成３０２のＲＥは、周波数第１−時間第２方式に従ってインデックス付けされ得、ＤＭ−ＲＳ  ＲＥ３１５を除外し得る。たとえば、ＲＥは、ＤＭ−ＲＳ  ＲＥ３１５が遭遇される（encountered）まで、漸進的方式でインデックス付けされ得る。ＤＭ−ＲＳ  ＲＥ３１５が遭遇されるとき、ＤＭ−ＲＳ  ＲＥ３１５はインデックス付けされないことがある。ＲＥのインデックス付けは、非ＤＭ−ＲＳ  ＲＥが遭遇されるときに再開し得る。いくつかの例では、ＵＥ１１５は、チャネルおよび干渉推定を決定するために、ＣＲＳと組み合わせてＤＭ−ＲＳ  ＲＥ３１５を使用し得る。図３Ａを参照しながら上記で説明したように、インデックス付け構成３０２のＲＥは、インデックスに基づいてｍＲＥＧにグループ化され得る。したがって、９つのＲＥが１つのｍＲＥＧを構成し得る。４つのｍＲＥＧ（すなわち、３６個のＲＥ）のグループがｍＣＣＥを構成し得、１つまたは複数のｍＣＣＥがｍＰＤＣＣＨを含んでいることがある。
【００６４】
[0086]ＵＥ１１５は、チャネル／干渉推定のためにＣＲＳ  ＲＥとＤＭ−ＲＳ  ＲＥとを組み合わせ得る。そのような方式は、ＣＲＳおよびＤＭ−ＲＳベースのｍＰＤＣＣＨ復号のために使用され得る。さらに、そのような方式は、ｅＰＤＣＣＨまたはｍＰＤＣＣＨ送信からの干渉消去を促進し、したがって、場合によっては、（インデックス付け構成３０２と同様の構成に基づき得る）ｅＰＤＣＣＨとのそれの互換性を高め得る。
【００６５】
[0087]図３Ｃに、本開示の様々な態様による、狭帯域制御チャネル復号のためのインデックス付け構成３０３の一例を示す。インデックス付け構成３０２は、図２を参照しながら上記で説明したダウンリンク２０５の態様を表し得るインデックス付け構成３０３は、時間領域中の１４個のシンボル期間（１つのサブフレーム）および周波数領域中の１２個のトーン（１つのＲＢ）の構成を示し得る。各ＲＥは、１つのトーンに対する１つのシンボル期間中に含まれる時間および周波数リソースに対応し得る。インデックス付け構成３０３は、インデックス付き制御領域ＲＥ３０５−ｃとインデックス付きＤＭ−ＲＳ  ＲＥ３２０とを含み得る。場合によっては、ＤＭ−ＲＳ  ＲＥ３１５の数は、サイクリックプレフィックス（ＣＰ）に基づき得る。たとえば、ｍＲＥＧは、ノーマルＣＰについて２４個のＤＭ−ＲＳ  ＲＥを含み得、拡張ＣＰについて１６個のＤＭ−ＲＳを含み得る。インデックス付け構成３０３は、図３Ａおよび図３Ｂを参照しながら説明したインデックス付け構成３０１および３０２の態様を含み得る。
【００６６】
[0088]インデックス付け構成３０３に従って、制御領域のすべてのＲＥがインデックス付けされ得る（すなわち、制御領域ＲＥ３０５−ｃとＤＭ−ＲＳ  ＲＥ３２０の両方）。周波数第１−時間第２方式でインデックス付けされて示されているが、場合によっては、リソースブロックペアのＲＥは、時間第１−周波数第２方式でインデックス付けされ得る。インデックス付けの方式にかかわらず、インデックス付き制御領域ＲＥ３０５−ｃは、ＤＭ−ＲＳ  ＲＥ２０とは別々にインデックス付けされ得る。たとえば、第１のリソースブロックのインデックス付けは、連続方式で進み、ＤＭ−ＲＳ  ＲＥ３２０をスキップし得る。したがって、第１のリソースブロックのＤＭ−ＲＳ  ＲＥ３２０は、同様の連続方式でインデックス付けされ、制御領域ＲＥ３０５−ｃをスキップし得る。ＤＭ−ＲＳ  ＲＥ３２０のためのインデックス付けは、第２のリソースブロック中で継続し得る。ＤＭ−ＲＳを搬送するリソースブロックに関して示されているが、インデックス付け構成３０３は、他の基準信号（たとえば、ＣＲＳ）を搬送するリソースブロックをインデックス付けするために使用され得る。図３Ａを参照しながら上記で説明したように、インデックス付け構成３０３のＲＥは、インデックスに基づいてｍＲＥＧにグループ化され得る。したがって、９つのＲＥが１つのｍＲＥＧを構成し得る。４つのｍＲＥＧ（すなわち、３６個のＲＥ）のグループがｍＣＣＥを構成し得、１つまたは複数のｍＣＣＥがｍＰＤＣＣＨを含んでいることがある。
【００６７】
[0089]場合によっては、異なるＲＢのための開始インデックスは異なり得、これは、より均一なｍＲＥＧサイズを生じ得る。たとえば、第１のＲＢはｍＲＥＧ０から開始し得、第２のＲＢはｍＲＥＧ８から開始し得る。代替的に、ｍＣＣＥが同じグループ化概念に従う（たとえば、ｍＣＣＥがｍＲＥＧ０／４／８／１２を有する）場合、第１のＲＢのための開始インデックスは第２のＲＢのための開始インデックスと同じであり得る。そのような例では、各ｍＲＥＧは平均１０．５個のＲＥを有し得る。場合によっては、ｍＲＥＧ定義はＤＭ−ＲＳ  ＲＥとＣＲＳ  ＲＥの両方を除外し得る。または、いくつかの例では、実際のＣＲＳポートはｍＲＥＧ定義から除外され得る。
【００６８】
[0090]図４に、本開示の様々な態様による、狭帯域制御チャネル復号のためのプロセスフロー４００の一例を示す。プロセスフロー４００は、図１〜図２を参照しながら上記で説明したＵＥ１１５（たとえば、ＭＴＣデバイス）の一例であり得る、ＵＥ１１５−ｂを含み得る。プロセスフロー４００はまた、図１〜図２を参照しながら上記で説明した基地局１０５の一例であり得る、基地局１０５−ｂも含み得る。本開示のいくつかの例では、基地局１０５−ｂによって実行されるアクションは、Ｄ２Ｄ動作に従って別のＵＥ１１５（図示せず）によって実行され得る。
【００６９】
[0091]メッセージ４０５において、ＵＥ１１５−ｂと基地局１０５−ｂとは、狭帯域制御領域に基づいて接続を確立し得る。場合によっては、狭帯域制御領域は、基地局１０５−ｂによってサポートされるすべての周波数トーンを含まないことがある。
【００７０】
[0092]ブロック４１０において、ＵＥ１１５−ｂと基地局１０５−ｂとは、ＣＲＳベース復調方式に関連するＲＥインデックス付け構成に少なくとも部分的に基づいて、狭帯域制御領域中でリソースのセットを識別し得る。いくつかの例では、ＲＥインデックス付け構成は、（たとえば、最大数のＣＲＳポートを含むＣＲＳ構成に基づいて）図３Ａを参照しながら上記で説明したように、ＣＲＳ構成に関連するＲＥのセットを除外する。いくつかの例では、ＲＥインデックス付け構成は、図３Ｂを参照しながら上記で説明したように、ＤＭ−ＲＳ構成に関連するＲＥのセットを除外する。いくつかの例では、ＲＥインデックス付け構成は、図３Ｃを参照しながら上記で説明したように、ＤＭ−ＲＳ構成に関連する別々にインデックス付けされたＲＥのセットを含む。場合によっては、制御チャネルから、ブロードバンド通信のためのものなど、制御領域を含む狭帯域領域のリソースが除外され得る。基地局１０５−ｂは、たとえば、リソースのセットから除外されるべきブロードバンド制御領域の、サイズ、またはリソースを示すメッセージを送信し得る（およびＵＥ１１５−ｂがそのメッセージを受信し得る）。同様に、基地局１０５−ｂは、ブロードバンド通信のための制御領域を含む狭帯域領域のリソースを示すメッセージを送信し得る（およびＵＥ１１５−ｂがそのメッセージを受信し得る）。ＵＥ１１５−ｂ、または別の基地局１０５は、メッセージに少なくとも部分的に基づいて、ブロードバンド通信のための制御領域を含む狭帯域領域のリソースを決定し得る。
【００７１】
[0093]メッセージ４１５において、基地局１０５−ｂは、リソースのセットに基づいてＰＤＣＣＨ（たとえば、ｍＰＤＣＣＨ）を送信し得る（およびＵＥ１１５−ｂがそのＰＤＣＣＨを受信し得る）。送信は、また、復調のためのＣＲＳ、および、場合によっては、ＤＭ−ＲＳを含み得る。
【００７２】
[0094]メッセージ４１５において、ＵＥ１１５−ｂは、ＣＲＳに基づいて（たとえば、基地局１０５−ｂによって送信されたＣＲＳを使用して）ＰＤＣＣＨを復調し得る。いくつかの例では、ＰＤＣＣＨの復調はまたＤＭ−ＲＳに基づき得る。ＵＥ１１５−ｂは、ＰＤＣＣＨを復号するためのＤＭ−ＲＳをその間に監視すべきいくつかのサブフレームを識別し得る。場合によっては、ＰＤＣＣＨは、広帯域システム内の狭帯域領域を含み得る。場合によっては、いくつかのサブフレームは、ＤＭ−ＲＳのための同じプリコーディングを有し得る。ＵＥ１１５−ｂは、ＤＭ−ＲＳに少なくとも部分的に基づいてＰＤＣＣＨを復号し得る。場合によっては、ＵＥ１１５−ｂは、変調シンボルのセットをリソースのセットにマッピングし得る。場合によっては、ＵＥ１１５−ｂは、狭帯域領域内で、同じプリコーディングをもつＲＢなど、同じプリコーディングを有する２つまたはそれ以上のＲＢを識別し得る。同じプリコーディングを有するＲＢは、ＰＤＣＣＨの一部であり得る。
【００７３】
[0095]いくつかの例では、（図示しない）基地局１０５−ｂは、バンドリング構成に従ってＰＤＣＣＨと同じプリコーディングを使用して、または所定のプリコーディングパターンに従ってＰＤＣＣＨとは異なるプリコーディングを使用して、メッセージ４１５と同様の方式で、第２のＰＤＣＣＨを送信し得る（およびＵＥ１１５−ｂが第２のＰＤＣＣＨを受信し得る）。いくつかの例では、ＰＤＣＣＨと第２のＰＤＣＣＨとは、同じコンテンツを含み、異なる周波数リソースまたは異なる時間リソース中で送信され得る。場合によっては、ＵＥ１１５−ｂは、狭帯域領域内で、同じプリコーディングをもつＲＢなど、同じプリコーディングを有する２つまたはそれ以上のＲＢを識別し得る。同じプリコーディングを有するＲＢは、第２のＰＤＣＣＨの一部であり得る。
【００７４】
[0096]さらに、ｍＰＤＣＣＨのバンドリングがサポートされ得、これはｍＰＤＣＣＨ復号性能を改善し得る。そのような事例では、同じプリコーディングが複数のＲＢおよび／または複数のサブフレームにわたって仮定され得る。ＴＴＩバンドリングが使用されるとき（すなわち、ｍＰＤＣＣＨが複数のフレームにわたって送信されるとき）、時間領域プリコーディングが役立ち得る。代替例では、異なるプリコーディングが仮定され得るが、そのプリコーディングは、ＵＥにおいてあらかじめ決定されるか、または知られ得る（たとえば、異なるＲＢおよび／またはサブフレームにおいて巡回する何らかのプリコーディング）。ＭＴＣデバイスが６ＲＢ動作のみをサポートする場合、より大きい高速フーリエ変換（ＦＦＴ）サイズ（たとえば、８ＲＢ）が、帯域幅エッジ性能を改善するために使用され得る。
【００７５】
[0097]場合によっては、ｍＰＤＣＣＨレートマッチングが使用されるものを含めて、ＵＥは、レガシー制御領域がｍＰＤＣＣＨのために使用されないと仮定し得る。さらに、レガシー制御領域は、最大可能サイズであると仮定され得る。したがって、システム帯域幅が１０個またはそれ以下のＲＢである場合、４つの制御シンボルがレガシー制御領域のために仮定され得る。場合によっては、３つの制御シンボルがレガシー制御サイズのために仮定され得る。代替的に、最大可能レガシー制御領域を仮定する代わりに、レガシー制御領域のサイズがＵＥに示され得る。そのような事例では、示された制御領域サイズは、他のキャリアタイプ（たとえば、レガシー制御領域を有しないことがあるＬＴＥ−Ｕキャリア）または動作がカバーされ得るように、０サイズ（すなわち、レガシー制御領域なし）を含み得る。
【００７６】
[0098]図５に、本開示の様々な態様による、狭帯域制御チャネル復号のために構成されたＵＥ１１５−ｃのブロック図５００を示す。ＵＥ１１５−ｃは、図１〜図４を参照しながら説明したＵＥ１１５の態様の一例であり得る。ＵＥ１１５−ｃは、受信機５０５、ＣＲＳベースＰＤＣＣＨモジュール５１０、または送信機５１５を含み得る。ＵＥ１１５−ｃはまたプロセッサを含み得る。これらのコンポーネントの各々は互いと通信していることがある。
【００７７】
[0099]受信機５０５は、パケット、ユーザデータ、または様々な情報チャネルに関連する制御情報（たとえば、制御チャネル、データチャネル、およびＣＲＳベース制御チャネル要素に関係する情報など）などの情報を受信し得る。情報は、ＣＲＳベースＰＤＣＣＨモジュール５１０に、およびＵＥ１１５−ｃの他のコンポーネントに受け渡され得る。受信機５０５は、リソースのセットに基づいてＰＤＣＣＨを受信し得る。いくつかの例では、受信機５０５は、リソースのセットから除外されるべきブロードバンド制御領域のサイズを示すメッセージを受信し得る。受信機５０５はまた、バンドリング構成に従ってＰＤＣＣＨと同じプリコーディングを使用して第２のＰＤＣＣＨを受信し得る。いくつかの例では、受信機５０５は、所定のプリコーディングパターンに従ってＰＤＣＣＨとは異なるプリコーディングを使用して第２のＰＤＣＣＨを受信し得る。追加または代替として、ＰＤＣＣＨと第２のＰＤＣＣＨとは、同じコンテンツを含み得、異なる周波数リソースまたは異なる時間リソース中で送信され得る。場合によっては、受信機５０５は、ブロードバンド通信のための制御領域を含む狭帯域領域のリソースを示すメッセージを受信し得る。
【００７８】
[0100]ＣＲＳベースのＰＤＣＣＨモジュール５１０は、（ＵＥ１１５または基地局１０５などの）ノードとの接続を確立し得、ここで、接続は狭帯域制御領域を含み得、ＣＲＳベースのＰＤＣＣＨモジュール５１０は、ＣＲＳベースの復調方式に関連するリソース要素インデックス付け構成に基づいて、狭帯域制御領域中でリソースのセットを識別し得る。ＣＲＳベースＰＤＣＣＨモジュール５１０はまた、リソースのセットに基づいてＰＤＣＣＨを受信し得、それは、ＣＲＳに少なくとも部分的に基づいてＰＤＣＣＨを復調し得る。場合によっては、ＣＲＳベースＰＤＣＣＨモジュール５１０は、ノードに関連する制御チャネルを復号するためのＤＭ−ＲＳをその間に監視すべき複数のサブフレームを識別し得る。制御チャネルは、狭帯域領域を含み得、広帯域システム内にあり得る。場合によっては、複数のサブフレームは、ＤＭ−ＲＳのための同じプリコーディングを有し得る。ＣＲＳベースＰＤＣＣＨモジュール５１０は、ＤＭ−ＲＳに少なくとも部分的に基づいて制御チャネルをさらに復号し得る。
【００７９】
[0101]送信機５１５は、ＵＥ１１５−ｃの他のコンポーネントから受信された信号を送信し得る。いくつかの実施形態では、送信機５１５は、トランシーバモジュールにおいて受信機５０５とコロケートされ得る。送信機５１５は単一のアンテナを含み得るか、またはそれは複数のアンテナを含み得る。
【００８０】
[0102]図６に、本開示の様々な態様による、狭帯域制御チャネル復号のためのＵＥ１１５−ｄのブロック図６００を示す。ＵＥ１１５−ｄは、図１〜図５を参照しながら説明したＵＥ１１５の態様の一例であり得る。ＵＥ１１５−ｄは、受信機５０５−ａ、ＣＲＳベースＰＤＣＣＨモジュール５１０−ａ、または送信機５１５−ａを含み得る。ＵＥ１１５−ｄはまたプロセッサも含み得る。これらのコンポーネントの各々は互いと通信していることがある。ＣＲＳベースＰＤＣＣＨモジュール５１０−ａはまた、狭帯域接続モジュール６０５と、リソース識別モジュール６１０と、復調モジュール６１５とを含み得る。
【００８１】
[0103]受信機５０５−ａは、ＣＲＳベースＰＤＣＣＨモジュール５１０−ａに、およびＵＥ１１５−ｄの他のコンポーネントに受け渡され得る情報を受信し得る。ＣＲＳベースＰＤＣＣＨモジュール５１０−ａは、図５を参照しながら上記で説明した動作を実行し得る。送信機５１５−ａは、ＵＥ１１５−ｄの他のコンポーネントから受信された信号を送信し得る。
【００８２】
[0104]狭帯域接続モジュール６０５は、図２〜図４を参照しながら上記で説明したように、（ＵＥ１１５または基地局１０５などの）ノードとの接続を確立し得、ここで、接続は狭帯域制御領域を含み得る。場合によっては、狭帯域接続モジュール６０５は、ブロードバンド通信のための制御領域を含む狭帯域領域のリソースを制御チャネルから除外し得る。
【００８３】
[0105]リソース識別モジュール６１０は、図２〜図４を参照しながら上記で説明したように、ＣＲＳベース復調方式に関連するリソース要素インデックス付け構成に少なくとも部分的に基づいて、狭帯域制御領域中でリソースのセットを識別し得る。いくつかの例では、リソース要素インデックス付け構成は、ＣＲＳ構成に関連するリソース要素のセットを除外する。いくつかの例では、リソース要素インデックス付け構成は、ＤＭ−ＲＳ構成に関連するリソース要素のセットを除外する。いくつかの例では、リソース要素インデックス付け構成は、ＤＭ−ＲＳ構成に関連する別々にインデックス付けされたリソース要素のセットを含む。ＣＲＳ復調方式は、たとえば、最大数のＣＲＳポートを含むＣＲＳ構成に基づき得る。場合によっては、リソース識別モジュール６１０は、ノードに関連する制御チャネルを復号するためのＤＭ−ＲＳをその間に監視すべき複数のサブフレームを識別する。制御チャネルは広帯域システムの狭帯域領域を含み得、複数のサブフレームはＤＭ−ＲＳのための同じプリコーディングを有し得る。リソース識別モジュール６１０は、狭帯域領域内で同じプリコーディングを有する２つまたはそれ以上のＲＢを識別し得る。場合によっては、リソース識別モジュール６１０は、メッセージに少なくとも部分的に基づいて、ブロードバンド通信のための制御領域を含む狭帯域領域のリソースを決定し得る。場合によっては、リソース識別モジュール６１０は、ブロードバンド通信のための制御領域を含む狭帯域領域のリソースを制御チャネルから除外し得る。
【００８４】
[0106]復調モジュール６１５は、図２〜図４を参照しながら上記で説明したように、ＣＲＳに基づいてＰＤＣＣＨを復調し得る。場合によっては、復調はまたＤＭ−ＲＳに基づき得る。復調モジュール６１５は、ＤＭ−ＲＳに少なくとも部分的に基づいて制御チャネルを復号し得る。
【００８５】
[0107]図７に、本開示の様々な態様による、狭帯域制御チャネル復号のためのＣＲＳベースＰＤＣＣＨモジュール５１０−ｂのブロック図７００を示す。ＣＲＳベースＰＤＣＣＨモジュール５１０−ｂは、図５または図６を参照しながら説明したＣＲＳベースＰＤＣＣＨモジュール５１０の態様の一例であり得る。ＣＲＳベースＰＤＣＣＨモジュール５１０−ｂは、狭帯域接続モジュール６０５−ａと、リソース識別モジュール６１０−ａと、復調モジュール６１５−ａとを含み得る。これらのモジュールの各々は、図６を参照しながら上記で説明した機能を実行し得る。ＣＲＳベースＰＤＣＣＨモジュール５１０−ｂはまた、ＤＭ−ＲＳモジュール７０５と、シンボルマッピングモジュール７１０とを含み得る。
【００８６】
[0108]ＤＭ−ＲＳモジュール７０５は、図２〜図４を参照しながら上記で説明したように、ＰＤＣＣＨの復調がＤＭ−ＲＳに基づき得るように構成され得る。場合によっては、ＤＭ−ＲＳモジュール７０５は、ＤＭ−ＲＳに少なくとも部分的に基づいて制御チャネルを復号し得る。
【００８７】
[0109]シンボルマッピングモジュール７１０は、図２〜図４を参照しながら上記で説明したように、変調シンボルのセットをリソースのセットにマッピングし得、ここで、マッピングはブロードバンド制御領域をセットから除外する。
【００８８】
[0110]ＵＥ１１５−ｃ、ＵＥ１１５−ｄ、またはＣＲＳベースＰＤＣＣＨモジュール５１０−ｂのコンポーネントは、適用可能な機能の一部または全部をハードウェアで実行するように適応された少なくとも１つの特定用途向け集積回路（ＡＳＩＣ）を用いて、個々にまたはまとめて実装され得る。代替的に、それらの機能は、１つまたは複数の他の処理ユニット（またはコア）によって、少なくとも１つのＩＣ上で実行され得る。他の実施形態では、当該技術分野で知られている任意の方式でプログラムされ得る他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００８９】
[0111]図８に、本開示の様々な態様による、狭帯域制御チャネル復号のために構成されたＵＥ１１５を含むシステム８００の図を示す。システム８００は、図１〜図７を参照しながら上記で説明したＵＥ１１５の一例であり得る、ＵＥ１１５−ｅを含み得る。ＵＥ１１５−ｅは、図５〜図７を参照しながら説明したＣＲＳベースＰＤＣＣＨモジュール５１０の一例であり得る、ＣＲＳベースＰＤＣＣＨモジュール８１０を含み得る。ＵＥ１１５−ｅは、また、チャネル推定モジュール８２５を含み得る。ＵＥ１１５−ｅは、また、通信を送信するためのコンポーネントと通信を受信するためのコンポーネントとを含む、双方向音声およびデータ通信のためのコンポーネントを含み得る。たとえば、ＵＥ１１５−ｅは、ＵＥ１１５−ｆまたは基地局１０５−ｃと双方向に通信し得る。
【００９０】
[0112]ＵＥ１１５−ｅはまた、プロセッサモジュール８０５と、（ソフトウェア（ＳＷ）８２０を含む）メモリ８１５と、トランシーバモジュール８３５と、１つまたは複数のアンテナ８４０とを含み得、その各々は、（たとえば、バス８４５を介して）互いと直接または間接的に通信し得る。トランシーバモジュール８３５は、上記で説明したように、（１つまたは複数の）アンテナ８４０あるいはワイヤードリンクまたはワイヤレスリンクを介して、１つまたは複数のネットワークと双方向に通信し得る。たとえば、トランシーバモジュール８３５は、基地局１０５または別のＵＥ１１５と双方向に通信し得る。トランシーバモジュール８３５は、パケットを変調し、変調されたパケットを送信のために（１つまたは複数の）アンテナ８４０に与え、（１つまたは複数の）アンテナ８４０から受信されたパケットを復調するためのモデムを含み得る。ＵＥ１１５−ｅは単一のアンテナ８４０を含み得るが、ＵＥ１１５−ｅはまた、複数のワイヤレス送信を同時並行（concurrently）して送信または受信することが可能な複数のアンテナ８４０を有し得る。
【００９１】
[0113]チャネル推定モジュール８２５は、チャネルコンディションを推定し、チャネル推定値に基づいてチャネル状態情報（ＣＳＩ）報告を生成し得る。いくつかの例では、ＣＲＳがチャネル推定のために使用され得る。次いで、ワイヤレス通信リンクがＣＳＩに基づいて更新され得る。
【００９２】
[0114]メモリ８１５は、ランダムアクセスメモリ（ＲＡＭ）および読取り専用メモリ（ＲＯＭ）を含み得る。メモリ８１５は、実行されたときに、プロセッサモジュール８０５に本明細書で説明する様々な機能（たとえば、狭帯域制御チャネル復号など）を実行させる命令を含む、コンピュータ可読、コンピュータ実行可能ソフトウェア／ファームウェアコード８２０を記憶し得る。代替的に、ソフトウェア／ファームウェアコード８２０は、プロセッサモジュール８０５によって直接的に実行可能でなく、（たとえば、コンパイルされ実行されたとき）コンピュータに本明細書で説明する機能を実行させることもあり得る。プロセッサモジュール８０５は、インテリジェントハードウェアデバイス、（たとえば、中央処理ユニット（ＣＰＵ）、マイクロコントローラ、ＡＳＩＣなど）を含み得る。
【００９３】
[0115]図９に、本開示の様々な態様による、狭帯域制御チャネル復号のために構成された基地局１０５−ｄのブロック図９００を示す。基地局１０５−ｄは、図１〜図８を参照しながら説明した基地局１０５またはＵＥ１１５の態様の一例であり得る。基地局１０５−ｄは、受信機９０５、基地局ＣＲＳベースＰＤＣＣＨモジュール９１０、または送信機９１５を含み得る。基地局１０５−ｄはまたプロセッサも含み得る。これらのコンポーネントの各々は互いと通信していることがある。本開示のいくつかの例では、基地局１０５−ｄの構造は、Ｄ２Ｄ動作に従って動作することによってＵＥ１１５において見つけられ得る。
【００９４】
[0116]受信機９０５は、パケット、ユーザデータ、または様々な情報チャネルに関連する制御情報（たとえば、制御チャネル、データチャネル、およびＣＲＳベース制御チャネル要素に関係する情報など）などの情報を受信し得る。情報は、基地局ＣＲＳベースＰＤＣＣＨモジュール９１０に、および基地局１０５−ｄの他のコンポーネントに受け渡され得る。
【００９５】
[0117]基地局ＣＲＳベースＰＤＣＣＨモジュール９１０は、ＵＥ１１５との接続を確立することであって、該接続が狭帯域制御領域を含み得る、確立することと、ＣＲＳベースの復調方式に関連するリソース要素インデックス付け構成に少なくとも部分的に基づいて、狭帯域制御領域中でＵＥ１１５のためのリソースのセットを識別することと、リソースのセットを使用してＰＤＣＣＨをＵＥ１１５に送信することと、リソースのセットと同じリソースブロック中でＣＲＳを送信することとを行い得る。
【００９６】
[0118]送信機９１５は、基地局１０５−ｄの他のコンポーネントから受信された信号を送信し得る。いくつかの実施形態では、送信機９１５は、トランシーバモジュールにおいて受信機９０５とコロケートされ得る。送信機９１５は単一のアンテナを含み得るか、またはそれは複数のアンテナを含み得る。いくつかの例では、送信機５１５は、除外されるべきブロードバンド制御領域のサイズを示すメッセージを送信し得る。いくつかの例では、送信機５１５は、ＰＤＣＣＨバンドリング構成に従ってＰＤＣＣＨと同じプリコーディングを使用して第２のＰＤＣＣＨを送信し得る。いくつかの例では、送信機５１５は、所定のプリコーディングパターンに従ってＰＤＣＣＨとは異なるプリコーディングを使用して第２のＰＤＣＣＨを送信し得る。ＰＤＣＣＨと第２のＰＤＣＣＨとは、同じコンテンツを含み得、異なる周波数リソースまたは異なる時間リソース中で送信され得る。
【００９７】
[0119]図１０に、本開示の様々な態様による、狭帯域制御チャネル復号のための基地局１０５−ｅのブロック図１０００を示す。基地局１０５−ｅは、図１〜図９を参照しながら説明した基地局１０５の態様の一例であり得る。基地局１０５−ｅは、受信機９０５−ａ、基地局ＣＲＳベースＰＤＣＣＨモジュール９１０−ａ、または送信機９１５−ａを含み得る。基地局１０５−ｅはまたプロセッサも含み得る。これらのコンポーネントの各々は互いと通信していることがある。基地局ＣＲＳベースＰＤＣＣＨモジュール９１０−ａはまた、ＢＳ狭帯域接続モジュール１００５と、ＢＳリソース識別モジュール１０１０と、ＰＤＣＣＨモジュール１０１５と、ＣＲＳモジュール１０２０とを含み得る。本開示のいくつかの例では、基地局１０５−ｅの構造は、Ｄ２Ｄ動作に従って動作することによってＵＥ１１５において見つけられ得る。
【００９８】
[0120]受信機９０５−ａは、基地局ＣＲＳベースＰＤＣＣＨモジュール９１０−ａに、および基地局１０５−ｅの他のコンポーネントに受け渡され得る情報を受信し得る。基地局ＣＲＳベースＰＤＣＣＨモジュール９１０−ａは、図９を参照しながら上記で説明した動作を実行し得る。送信機９１５−ａは、基地局１０５−ｅの他のコンポーネントから受信された信号を送信し得る。
【００９９】
[0121]ＢＳ狭帯域接続モジュール１００５は、図２〜図４を参照しながら上記で説明したように、ＵＥ１１５との接続を確立し得、ここで、接続は狭帯域制御領域を含み得る。
【０１００】
[0122]ＢＳリソース識別モジュール１０１０は、図２〜図４を参照しながら上記で説明したように、ＣＲＳベース復調方式に関連するリソース要素インデックス付け構成に少なくとも部分的に基づいて、狭帯域制御領域中でＵＥ１１５のためのリソースのセットを識別し得る。
【０１０１】
[0123]ＰＤＣＣＨモジュール１０１５は、図２〜図４を参照しながら上記で説明したように、リソースのセットを使用してＰＤＣＣＨをＵＥ１１５に送信し得る。
【０１０２】
[0124]ＣＲＳモジュール１０２０は、図２〜図４を参照しながら上記で説明したように、リソースのセットと同じリソースブロック中でＣＲＳを送信し得る。いくつかの例では、ＣＲＳ復調方式は、最大数のＣＲＳポートを備えるＣＲＳ構成に基づき得る。
【０１０３】
[0125]図１１に、本開示の様々な態様による、狭帯域制御チャネル復号のための基地局ＣＲＳベースＰＤＣＣＨモジュール９１０−ｂのブロック図１１００を示す。基地局ＣＲＳベースＰＤＣＣＨモジュール９１０−ｂは、図９〜図１０を参照しながら説明した基地局ＣＲＳベースＰＤＣＣＨモジュール９１０の態様の一例であり得る。基地局ＣＲＳベースＰＤＣＣＨモジュール９１０−ｂは、ＢＳ狭帯域接続モジュール１００５−ａと、ＢＳリソース識別モジュール１０１０−ａと、ＰＤＣＣＨモジュール１０１５−ａと、ＣＲＳモジュール１０２０−ａとを含み得る。これらのモジュールの各々は、図１０を参照しながら上記で説明した機能を実行し得る。基地局ＣＲＳベースＰＤＣＣＨモジュール９１０−ｂはまた、ＢＳシンボルマッピングモジュール１１０５も含み得る。
【０１０４】
[0126]ＢＳシンボルマッピングモジュール１１０５は、図２〜図４を参照しながら上記で説明したように、変調シンボルのセットをリソースのセットにマッピングし得、ここで、マッピングはブロードバンド制御領域をセットから除外する。
【０１０５】
[0127]基地局１０５−ｄ、基地局１０５−ｅ、または基地局ＣＲＳベースＰＤＣＣＨモジュール９１０−ｂのコンポーネントは、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の実施形態では、当技術分野で知られている任意の方式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【０１０６】
[0128]図１２に、本開示の様々な態様による、狭帯域制御チャネル復号のために構成された基地局１０５を含むシステム１２００の図を示す。システム１２００は、図１〜図１１を参照しながら上記で説明した基地局１０５の一例であり得る、基地局１０５−ｆを含み得る。基地局１０５−ｆは、図９〜図１１を参照しながら説明した基地局ＣＲＳベースＰＤＣＣＨモジュール９１０の一例であり得る、基地局ＣＲＳベースＰＤＣＣＨモジュール１２１０を含み得る。基地局１０５−ｆはまた、通信を送信するためのコンポーネントと通信を受信するためのコンポーネントとを含む、双方向音声およびデータ通信のためのコンポーネントを含み得る。たとえば、基地局１０５−ｆは、基地局１０５−ｇまたは基地局１０５−ｈと双方向に通信し得る。
【０１０７】
[0129]場合によっては、基地局１０５−ｆは、１つまたは複数のワイヤードバックホールリンクを有し得る。基地局１０５−ｆは、コアネットワーク１３０へのワイヤードバックホールリンク（たとえば、Ｓ１インターフェースなど）を有し得る。基地局１０５−ｆはまた、基地局間バックホールリンク（たとえば、Ｘ２インターフェース）を介して、基地局１０５−ｇおよび基地局１０５−ｈなど、他の基地局１０５と通信し得る。基地局１０５の各々は、同じまたは異なるワイヤレス通信技術を使用してＵＥ１１５と通信し得る。場合によっては、基地局１０５−ｆは、基地局通信モジュール１２２５を利用して１０５−ｇまたは１０５−ｈなどの他の基地局と通信し得る。いくつかの実施形態では、基地局通信モジュール１２２５は、基地局１０５のうちのいくつかの間の通信を行うために、ＬＴＥ／ＬＴＥ−Ａワイヤレス通信ネットワーク技術内のＸ２インターフェースを与え得る。いくつかの実施形態では、基地局１０５−ｆは、コアネットワーク１３０を通して他の基地局と通信し得る。場合によっては、基地局１０５−ｆは、ネットワーク通信モジュール１２３０を通してコアネットワーク１３０と通信し得る。
【０１０８】
[0130]基地局１０５−ｆは、プロセッサモジュール１２０５と、（ソフトウェア（ＳＷ）１２２０を含む）メモリ１２１５と、トランシーバモジュール１２３５と、（１つまたは複数の）アンテナ１２４０とを含み得、その各々は、（たとえば、バスシステム１２４５を介して）互いと直接または間接的に通信していることがある。トランシーバモジュール１２３５は、（１つまたは複数の）アンテナ１２４０を介して、マルチモードデバイスであり得るＵＥ１１５と双方向に通信するように構成され得る。トランシーバモジュール１２３５（または基地局１０５−ｆの他のコンポーネント）はまた、アンテナ１２４０を介して、１つまたは複数の他の基地局（図示せず）と双方向に通信するように構成され得る。トランシーバモジュール１２３５は、パケットを変調し、変調されたパケットを送信のためにアンテナ１２４０に与え、アンテナ１２４０から受信されたパケットを復調するように構成されたモデムを含み得る。基地局１０５−ｆは、各々が１つまたは複数の関連するアンテナ１２４０をもつ、複数のトランシーバモジュール１２３５を含み得る。トランシーバモジュールは、図９の組み合わせられた受信機９０５および送信機９１５の一例であり得る。
【０１０９】
[0131]メモリ１２１５はＲＡＭおよびＲＯＭを含み得る。メモリ１２１５はまた、実行されたときに、プロセッサモジュール１２１０に本明細書で説明する様々な機能（たとえば、ＣＲＳベース制御チャネル要素、カバレージ拡張技法を選択すること、呼処理、データベース管理、メッセージルーティングなど）を実行させるように構成された命令を含んでいる、コンピュータ可読、コンピュータ実行可能ソフトウェアコード１２２０も記憶し得る。代替的に、ソフトウェア１２２０は、プロセッサモジュール１２０５によって直接的に実行可能でなく、（たとえば、コンパイルされ実行されたとき）コンピュータに本明細書で説明する機能を実行させるように構成されることもあり得る。プロセッサモジュール１２０５は、インテリジェントハードウェアデバイス、（たとえば、ＣＰＵ、マイクロコントローラ、ＡＳＩＣなど）を含み得る。プロセッサモジュール１２０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０１１０】
[0132]基地局通信モジュール１２２５は、他の基地局１０５との通信を管理し得る。通信管理モジュールは、他の基地局１０５と協働してＵＥ１１５との通信を制御するためのコントローラまたはスケジューラを含み得る。たとえば、基地局通信モジュール１２２５は、ビームフォーミングまたはジョイント送信などの様々な干渉緩和技法のためのＵＥ１１５への送信のためのスケジューリングを協調させ得る。
【０１１１】
[0133]図１３に、本開示の様々な態様による、狭帯域制御チャネル復号のための方法１３００を示すフローチャートを示す。方法１３００の動作は、図１〜図１２を参照しながら説明したように、ＵＥ１１５またはそれのコンポーネントによって実装され得る。たとえば、方法１３００の動作は、図５〜図８を参照しながら説明したように、ＣＲＳベースＰＤＣＣＨモジュール５１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。
【０１１２】
[0134]ブロック１３０５において、ＵＥ１１５は、図２〜図４を参照しながら上記で説明したように、（ＵＥ１１５または基地局１０５などの）ノードとの接続を確立し、ここで、接続は狭帯域制御領域を含み得る。いくつかの例では、ブロック１３０５の動作は、図６を参照しながら上記で説明したように、狭帯域接続モジュール６０５によって実行され得る。
【０１１３】
[0135]ブロック１３１０において、ＵＥ１１５は、図２〜図４を参照しながら上記で説明したように、ＣＲＳベース復調方式に関連するリソース要素インデックス付け構成に少なくとも部分的に基づいて、狭帯域制御領域中でリソースのセットを識別する。いくつかの例では、ブロック１３１０の動作は、図６を参照しながら上記で説明したように、リソース識別モジュール６１０によって実行され得る。
【０１１４】
[0136]ブロック１３１５において、ＵＥ１１５は、図２〜図４を参照しながら上記で説明したように、リソースのセットに基づいてＰＤＣＣＨを受信する。いくつかの例では、ブロック１３１５の動作は、図５を参照しながら上記で説明したように、受信機５０５によって実行され得る。
【０１１５】
[0137]ブロック１３２０において、ＵＥ１１５は、図２〜図４を参照しながら上記で説明したように、ＣＲＳに少なくとも部分的に基づいてＰＤＣＣＨを復調する。いくつかの例では、ブロック１３２０の動作は、図６を参照しながら上記で説明したように、復調モジュール６１５によって実行され得る。
【０１１６】
[0138]図１４に、本開示の様々な態様による、狭帯域制御チャネル復号のための方法１４００を示すフローチャートを示す。方法１４００の動作は、図１〜図１２を参照しながら説明したように、ＵＥ１１５またはそれのコンポーネントによって実装され得る。たとえば、方法１４００の動作は、図５〜図８を参照しながら説明したように、ＣＲＳベースＰＤＣＣＨモジュール５１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１４００はまた、図１３の方法１３００の態様を組み込み得る。
【０１１７】
[0139]ブロック１４０５において、ＵＥ１１５は、図２〜図４を参照しながら上記で説明したように、（ＵＥ１１５または基地局１０５などの）ノードとの接続を確立し、ここで、接続は狭帯域制御領域を含み得る。いくつかの例では、ブロック１４０５の動作は、図６を参照しながら上記で説明したように、狭帯域接続モジュール６０５によって実行され得る。
【０１１８】
[0140]ブロック１４１０において、ＵＥ１１５は、図２〜図４を参照しながら上記で説明したように、ＣＲＳベース復調方式に関連するリソース要素インデックス付け構成に少なくとも部分的に基づいて、狭帯域制御領域中でリソースのセットを識別する。いくつかの例では、ブロック１４１０の動作は、図６を参照しながら上記で説明したように、リソース識別モジュール６１０によって実行され得る。
【０１１９】
[0141]ブロック１４１５において、ＵＥ１１５は、図２〜図４を参照しながら上記で説明したように、変調シンボルのセットをリソースのセットにマッピングし、ここで、マッピングはブロードバンド制御領域をセットから除外する。いくつかの例では、ブロック１４１５の動作は、図７を参照しながら上記で説明したように、シンボルマッピングモジュール７１０によって実行され得る。
【０１２０】
[0142]ブロック１４２０において、ＵＥ１１５は、図２〜図４を参照しながら上記で説明したように、リソースのセットに基づいてＰＤＣＣＨを受信する。いくつかの例では、ブロック１４２０の動作は、図５を参照しながら上記で説明したように、受信機５０５によって実行され得る。
【０１２１】
[0143]ブロック１４２５において、ＵＥ１１５は、図２〜図４を参照しながら上記で説明したように、ＣＲＳに少なくとも部分的に基づいてＰＤＣＣＨを復調する。いくつかの例では、ブロック１４２５の動作は、図６を参照しながら上記で説明したように、復調モジュール６１５によって実行され得る。
【０１２２】
[0144]図１５に、本開示の様々な態様による、狭帯域制御チャネル復号のための方法１５００を示すフローチャートを示す。方法１５００の動作は、図１〜図１２を参照しながら説明したように、ＵＥ１１５またはそれのコンポーネントによって実装され得る。たとえば、方法１５００の動作は、図５〜図８を参照しながら説明したように、ＣＲＳベースＰＤＣＣＨモジュール５１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１５００はまた、図１３または図１４の方法１３００、および１４００の態様を組み込み得る。
【０１２３】
[0145]ブロック１５０５において、ＵＥ１１５は、図２〜図４を参照しながら上記で説明したように、（ＵＥ１１５または基地局１０５などの）ノードとの接続を確立し、ここで、接続は狭帯域制御領域を含み得る。いくつかの例では、ブロック１５０５の動作は、図６を参照しながら上記で説明したように、狭帯域接続モジュール６０５によって実行され得る。
【０１２４】
[0146]ブロック１５１０において、ＵＥ１１５は、図２〜図４を参照しながら上記で説明したように、ＣＲＳベース復調方式に関連するリソース要素インデックス付け構成に少なくとも部分的に基づいて、狭帯域制御領域中でリソースのセットを識別する。いくつかの例では、ブロック１５１０の動作は、図６を参照しながら上記で説明したように、リソース識別モジュール６１０によって実行され得る。
【０１２５】
[0147]ブロック１５１５において、ＵＥ１１５は、図２〜図４を参照しながら上記で説明したように、リソースのセットに基づいてＰＤＣＣＨを受信する。いくつかの例では、ブロック１５１５の動作は、図５を参照しながら上記で説明したように、受信機５０５によって実行され得る。
【０１２６】
[0148]ブロック１５２０において、ＵＥ１１５は、図２〜図４を参照しながら上記で説明したように、ＣＲＳに少なくとも部分的に基づいてＰＤＣＣＨを復調する。いくつかの例では、ブロック１５２０の動作は、図６を参照しながら上記で説明したように、復調モジュール６１５によって実行され得る。
【０１２７】
[0149]ブロック１５２５において、ＵＥ１１５は、図２〜図４を参照しながら上記で説明したように、バンドリング構成に従ってＰＤＣＣＨと同じプリコーディングを使用して、または所定のプリコーディングパターンに従ってＰＤＣＣＨとは異なるプリコーディングを使用して、第２のＰＤＣＣＨを受信する。いくつかの例では、ブロック１５２５の動作は、図５を参照しながら上記で説明したように、受信機５０５によって実行され得る。
【０１２８】
[0150]図１６に、本開示の様々な態様による、狭帯域制御チャネル復号のための方法１６００を示すフローチャートを示す。方法１６００の動作は、図１〜図１２を参照しながら説明したように、基地局１０５または（たとえば、Ｄ２Ｄモードで動作する際の）ＵＥ１１５などのワイヤレスノードあるいはそれのコンポーネントによって実装され得る。たとえば、方法１６００の動作は、図９〜図１２を参照しながら説明したように、基地局ＣＲＳベースＰＤＣＣＨモジュール９１０によって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する機能態様を実行し得る。
【０１２９】
[0151]ブロック１６０５において、ワイヤレスノードは、図２〜図４を参照しながら上記で説明したように、ＵＥとの接続を確立し、ここで、接続は狭帯域制御領域を含み得る。いくつかの例では、ブロック１６０５の動作は、図１を参照しながら上記で説明したように、ＢＳ狭帯域接続モジュール１００５によって実行され得る。
【０１３０】
[0152]ブロック１６１０において、ワイヤレスノードは、図２〜図４を参照しながら上記で説明したように、ＣＲＳベース復調方式に関連するリソース要素インデックス付け構成に少なくとも部分的に基づいて、狭帯域制御領域中でＵＥのためのリソースのセットを識別する。いくつかの例では、ブロック１６１０の動作は、図１を参照しながら上記で説明したように、ＢＳリソース識別モジュール１０１０によって実行され得る。
【０１３１】
[0153]ブロック１６１５において、ワイヤレスノードは、図２〜図４を参照しながら上記で説明したように、リソースのセットを使用してＰＤＣＣＨをＵＥに送信する。いくつかの例では、ブロック１６１５の動作は、図１を参照しながら上記で説明したように、ＰＤＣＣＨモジュール１０１５によって実行され得る。
【０１３２】
[0154]ブロック１６２０において、ワイヤレスノードは、図２〜図４を参照しながら上記で説明したように、リソースのセットと同じリソースブロック中でＣＲＳを送信する。いくつかの例では、ブロック１６２０の動作は、図１を参照しながら上記で説明したように、ＣＲＳモジュール１０２０によって実行され得る。
【０１３３】
[0155]図１７に、本開示の様々な態様による、狭帯域制御チャネル復号のための方法１７００を示すフローチャートを示す。方法１７００の動作は、図１〜図１２を参照しながら説明したように、基地局１０５または（たとえば、Ｄ２Ｄモードで動作する際の）ＵＥ１１５などのワイヤレスノードあるいはそれのコンポーネントによって実装され得る。たとえば、方法１７００の動作は、図９〜図１２を参照しながら説明したように、基地局ＣＲＳベースＰＤＣＣＨモジュール９１０によって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する機能態様を実行し得る。方法１７００はまた、図１６の方法１６００の態様を組み込み得る。
【０１３４】
[0156]ブロック１７０５において、ワイヤレスノードは、図２〜図４を参照しながら上記で説明したように、ＵＥとの接続を確立し、ここで、接続は狭帯域制御領域を含み得る。いくつかの例では、ブロック１７０５の動作は、図１を参照しながら上記で説明したように、ＢＳ狭帯域接続モジュール１００５によって実行され得る。
【０１３５】
[0157]ブロック１７１０において、ワイヤレスノードは、図２〜図４を参照しながら上記で説明したように、ＣＲＳベース復調方式に関連するリソース要素インデックス付け構成に少なくとも部分的に基づいて、狭帯域制御領域中でＵＥのためのリソースのセットを識別する。いくつかの例では、ブロック１７１０の動作は、図１を参照しながら上記で説明したように、ＢＳリソース識別モジュール１０１０によって実行され得る。
【０１３６】
[0158]ブロック１７１５において、ワイヤレスノードは、図２〜図４を参照しながら上記で説明したように、変調シンボルのセットをリソースのセットにマッピングし、ここで、マッピングはブロードバンド制御領域をセットから除外する。いくつかの例では、ブロック１７１５の動作は、図７を参照しながら上記で説明したように、シンボルマッピングモジュール７１０によって実行され得る。
【０１３７】
[0159]ブロック１７２０において、ワイヤレスノードは、図２〜図４を参照しながら上記で説明したように、除外されるべきブロードバンド制御領域のサイズを示すメッセージを送信する。いくつかの例では、ブロック１７２０の動作は、図９を参照しながら上記で説明したように、送信機９１５によって実行され得る。
【０１３８】
[0160]ブロック１７２５において、ワイヤレスノードは、図２〜図４を参照しながら上記で説明したように、リソースのセットを使用してＰＤＣＣＨをＵＥに送信する。いくつかの例では、ブロック１７２５の動作は、図１を参照しながら上記で説明したように、ＰＤＣＣＨモジュール１０１５によって実行され得る。
【０１３９】
[0161]ブロック１７３０において、ワイヤレスノードは、図２〜図４を参照しながら上記で説明したように、リソースのセットと同じリソースブロック中でＣＲＳを送信する。いくつかの例では、ブロック１７３０の動作は、図１を参照しながら上記で説明したように、ＣＲＳモジュール１０２０によって実行され得る。
【０１４０】
[0162]図１８に、本開示の様々な態様による、狭帯域制御チャネル復号のための方法１８００を示すフローチャートを示す。方法１８００の動作は、図１〜図１２を参照しながら説明したように、基地局１０５または（たとえば、Ｄ２Ｄモードで動作する際の）ＵＥ１１５などのワイヤレスノードあるいはそれのコンポーネントによって実装され得る。たとえば、方法１８００の動作は、図９〜図１２を参照しながら説明したように、基地局ＣＲＳベースＰＤＣＣＨモジュール９１０によって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する機能態様を実行し得る。方法１８００はまた、図１６または図１７の方法１６００、および１７００の態様を組み込み得る。
【０１４１】
[0163]ブロック１８０５において、ワイヤレスノードは、図２〜図４を参照しながら上記で説明したように、ＵＥとの接続を確立し、ここで、接続は狭帯域制御領域を含み得る。いくつかの例では、ブロック１８０５の動作は、図１を参照しながら上記で説明したように、ＢＳ狭帯域接続モジュール１００５によって実行され得る。
【０１４２】
[0164]ブロック１８１０において、ワイヤレスノードは、図２〜図４を参照しながら上記で説明したように、ＣＲＳベース復調方式に関連するリソース要素インデックス付け構成に少なくとも部分的に基づいて、狭帯域制御領域中でＵＥのためのリソースのセットを識別する。いくつかの例では、ブロック１８１０の動作は、図１を参照しながら上記で説明したように、ＢＳリソース識別モジュール１０１０によって実行され得る。
【０１４３】
[0165]ブロック１８１５において、ワイヤレスノードは、図２〜図４を参照しながら上記で説明したように、リソースのセットを使用してＰＤＣＣＨをＵＥに送信する。いくつかの例では、ブロック１８１５の動作は、図１を参照しながら上記で説明したように、ＰＤＣＣＨモジュール１０１５によって実行され得る。
【０１４４】
[0166]ブロック１８２０において、ワイヤレスノードは、図２〜図４を参照しながら上記で説明したように、リソースのセットと同じリソースブロック中でＣＲＳを送信する。いくつかの例では、ブロック１８２０の動作は、図１を参照しながら上記で説明したように、ＣＲＳモジュール１０２０によって実行され得る。
【０１４５】
[0167]ブロック１８２５において、ワイヤレスノードは、図２〜図４を参照しながら上記で説明したように、ＰＤＣＣＨバンドリング構成に従ってＰＤＣＣＨと同じプリコーディングを使用して、または所定のプリコーディングパターンに従ってＰＤＣＣＨとは異なるプリコーディングを使用して、第２のＰＤＣＣＨを送信する。いくつかの例では、ブロック１８２５の動作は、図９を参照しながら上記で説明したように、送信機９１５によって実行され得る。
【０１４６】
[0168]図１９に、本開示の様々な態様による、狭帯域制御チャネル復号のための方法１９００を示すフローチャートを示す。方法１９００の動作は、図１〜図１２を参照しながら説明したように、基地局１０５またはＵＥ１１５などのワイヤレスノードあるいはそれのコンポーネントによって実装され得る。たとえば、方法１９００の動作は、図５〜図８を参照しながら説明したように、ＣＲＳベースＰＤＣＣＨモジュール５１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能の態様を実行し得る。
【０１４７】
[0169]ブロック１９０５において、ＵＥ１１５は、図２〜図４を参照しながら上記で説明したように、ノードに関連する制御チャネルを復号するための復調基準信号（ＤＭ−ＲＳ）をその間に監視すべきサブフレームのセットを識別し、ここで、制御チャネルが広帯域システムの狭帯域領域を備え、ここで、サブフレームのセットがＤＭ−ＲＳのための同じプリコーディングを有する。いくつかの例では、ブロック１９０５の動作は、図６および図７を参照しながら説明したように、リソース識別モジュール６１０によって実行され得る。
【０１４８】
[0170]ブロック１９１０において、ＵＥ１１５は、図２〜図４を参照しながら上記で説明したように、ＤＭ−ＲＳに基づいて制御チャネルを復号する。いくつかの例では、ブロック１９１０の動作は、図６〜図７を参照しながら説明したように復調モジュール６１５によって実行されるか、または図７を参照しながら説明したようにＤＭ−ＲＳモジュール７０５によって実行され得る。
【０１４９】
[0171]図２０に、本開示の様々な態様による、狭帯域制御チャネル復号のための方法２０００を示すフローチャートを示す。方法２０００の動作は、図１〜図１２を参照しながら説明したように、ＵＥ１１５またはそれのコンポーネントによって実装され得る。たとえば、方法２０００の動作は、図５〜図８を参照しながら説明したように、ＣＲＳベースＰＤＣＣＨモジュール５１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能の態様を実行し得る。
【０１５０】
[0172]ブロック２００５において、ＵＥ１１５は、図２〜図４を参照しながら上記で説明したように、ノードに関連する制御チャネルを復号するための復調基準信号（ＤＭ−ＲＳ）をその間に監視すべきサブフレームのセットを識別し、ここで、制御チャネルが広帯域システムの狭帯域領域を備え、ここで、サブフレームのセットがＤＭ−ＲＳのための同じプリコーディングを有する。いくつかの例では、ブロック２００５の動作は、図６および図７を参照しながら説明したように、リソース識別モジュール６１０によって実行され得る。
【０１５１】
[0173]ブロック２０１０において、ＵＥ１１５は、図２〜図４を参照しながら上記で説明したように、ＤＭ−ＲＳに基づいて制御チャネルを復号する。いくつかの例では、ブロック２０１０の動作は、図６〜図７を参照しながら説明したように復調モジュール６１５によって実行されるか、または図７を参照しながら説明したようにＤＭ−ＲＳモジュール７０５によって実行され得る。
【０１５２】
[0174]ブロック２０１５において、ＵＥ１１５は、図２〜図４を参照しながら上記で説明したように、狭帯域領域内で同じプリコーディングを有する２つまたはそれ以上のリソースブロック（ＲＢ）を識別する。いくつかの例では、ブロック２０１５の動作は、図６および図７を参照しながら説明したように、リソース識別モジュール６１０によって実行され得る。
【０１５３】
[0175]図２１に、本開示の様々な態様による、狭帯域制御チャネル復号のための方法２１００を示すフローチャートを示す。方法２１００の動作は、図１〜図１２を参照しながら説明したように、ＵＥ１１５またはそれのコンポーネントによって実装され得る。たとえば、方法２１００の動作は、図５〜図８を参照しながら説明したように、ＣＲＳベースＰＤＣＣＨモジュール５１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能の態様を実行し得る。
【０１５４】
[0176]ブロック２１０５において、ＵＥ１１５は、図２〜図４を参照しながら上記で説明したように、ノードに関連する制御チャネルを復号するための復調基準信号（ＤＭ−ＲＳ）をその間に監視すべきサブフレームのセットを識別し、ここで、制御チャネルが広帯域システムの狭帯域領域を備え、ここで、サブフレームのセットがＤＭ−ＲＳのための同じプリコーディングを有する。いくつかの例では、ブロック２１０５の動作は、図６および図７を参照しながら説明したように、リソース識別モジュール６１０によって実行され得る。
【０１５５】
[0177]ブロック２１１０において、ＵＥ１１５は、図２〜図４を参照しながら上記で説明したように、ＤＭ−ＲＳに基づいて制御チャネルを復号する。いくつかの例では、ブロック２１１０の動作は、図６〜図７を参照しながら説明したように復調モジュール６１５によって実行されるか、または図７を参照しながら説明したようにＤＭ−ＲＳモジュール７０５によって実行され得る。
【０１５６】
[0178]ブロック２１１５において、ＵＥ１１５は、図２〜図４を参照しながら上記で説明したように、ブロードバンド通信のための制御領域を備える狭帯域領域のリソースを制御チャネルから除外する。いくつかの例では、ブロック２１１５の動作は、図６〜図７を参照しながら説明したように、狭帯域接続モジュール６０５またはリソース識別モジュール６１０によって実行され得る。
【０１５７】
[0179]したがって、方法１３００、１４００、１５００、１６００、１７００、１８００、１９００、２０００、および２１００は、狭帯域制御チャネル復号をもたらし得る。方法１３００、１４００、１５００、１６００、１７００、１８００、１９００、２０００、および２１００は可能な実装形態について説明していること、ならびに動作およびステップは、他の実装形態が可能であるように、並べ替えられるかまたは場合によっては変更され得ることに留意されたい。いくつかの例では、方法１３００、１４００、１５００、１６００、１７００、１８００、１９００、２０００、および２１００のうちの２つまたはそれ以上からの態様が組み合わせられ得る。
【０１５８】
[0180]添付の図面に関して上記に記載した詳細な説明は、例示的な実施形態について説明しており、実装され得るまたは特許請求の範囲内に入るすべての実施形態を表すとは限らない。この説明において使用され得る「例示的」という用語は、「例、事例、または例示の働きをすること」を意味し、「好ましい」または「他の実施形態よりも有利な」を意味するものではない。詳細な説明は、説明する技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスはブロック図の形式で示されている。
【０１５９】
[0181]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１６０】
[0182]本明細書の開示に関して説明した様々な例示的なブロックおよびモジュールは、汎用プロセッサ、ＤＳＰ、ＡＳＩＣ、ＦＰＧＡまたは他のプログラマブル論理デバイス、ディスクリートゲートまたはトランジスタ論理、ディスクリートハードウェアコンポーネント、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
【０１６１】
[0183]本明細書で説明する機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包含的列挙を示す。
【０１６２】
[0184]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１６３】
[0185]本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
【０１６４】
[0186]本明細書で説明した技法は、符号分割多元接続（ＣＤＭＡ）、時分割多元接続（ＴＤＭＡ）、周波数分割多元接続（ＦＤＭＡ）、ＯＦＤＭＡ、ＳＣ−ＦＤＭＡ、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰ（登録商標）ロングタームエボリューション（ＬＴＥ（登録商標））およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願の出願当初の特許請求の範囲に記載された発明を付記する。
[Ｃ１]  ユーザ機器（ＵＥ）におけるワイヤレス通信の方法であって、
ノードに関連する制御チャネルを復号するための復調基準信号（ＤＭ−ＲＳ）をその間に監視すべき複数のサブフレームを識別することと、ここにおいて、前記制御チャネルが広帯域システムの狭帯域領域を備え、前記複数のサブフレームが前記ＤＭ−ＲＳのための同じプリコーディングを有する、
前記ＤＭ−ＲＳに少なくとも部分的に基づいて前記制御チャネルを復号することと  を備える、方法。
[Ｃ２]  前記狭帯域領域内で前記同じプリコーディングを有する２つまたはそれ以上のリソースブロック（ＲＢ）を識別すること
をさらに備える、Ｃ１に記載の方法。
[Ｃ３]  ブロードバンド通信のための制御領域を備える前記狭帯域領域のリソースを前記制御チャネルから除外すること
をさらに備える、Ｃ１に記載の方法。
[Ｃ４]  ブロードバンド通信のための前記制御領域を備える前記狭帯域領域の前記リソースを示すメッセージを受信することと、
前記メッセージに少なくとも部分的に基づいて、前記ブロードバンド通信のための前記制御領域を備える前記狭帯域領域の前記リソースを決定することと
をさらに備える、Ｃ３に記載の方法。
[Ｃ５]  前記制御チャネルが、リソース要素グループ（ＲＥＧ）のセットを備える制御チャネル要素（ＣＣＥ）を備える、Ｃ１に記載の方法。
[Ｃ６]  ＲＥＧの前記セットのうちの各ＲＥＧが、前記狭帯域領域内で前記複数のサブフレームの間に時間および周波数において分散される、Ｃ５に記載の方法。
[Ｃ７]  ＲＥＧの前記セットのうちの各ＲＥＧが、ＤＭ−ＲＳを備えるリソース要素を除外する、Ｃ５に記載の方法。
[Ｃ８]  ＲＥＧの前記セットのうちの各ＲＥＧが、セル固有基準信号（ＣＲＳ）を備えるリソース要素を除外する、Ｃ７に記載の方法。
[Ｃ９]  単一のプリコーダが、前記制御チャネルの各物理リソースブロックペアのために適用される、Ｃ１に記載の方法。
[Ｃ１０]  ２つまたはそれ以上のプリコーダが、前記制御チャネルの各物理リソースブロックペアをもつリソースに適用される、Ｃ１に記載の方法。
[Ｃ１１]  前記制御チャネルが、セル固有基準信号（ＣＲＳ）に少なくとも部分的に基づいて復号される、Ｃ１に記載の方法。
[Ｃ１２]  ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
ノードに関連する制御チャネルを復号するための復調基準信号（ＤＭ−ＲＳ）をその間に監視すべき複数のサブフレームを識別することと、ここにおいて、前記制御チャネルが広帯域システムの狭帯域領域を備え、前記複数のサブフレームが前記ＤＭ−ＲＳのための同じプリコーディングを有する、
前記ＤＭ−ＲＳに少なくとも部分的に基づいて前記制御チャネルを復号することと    を行わせるように動作可能である、
装置。
[Ｃ１３]  前記命令が、前記プロセッサに、
前記狭帯域領域内で前記同じプリコーディングを有する２つまたはそれ以上のリソースブロック（ＲＢ）を識別すること
を行わせるように動作可能である、Ｃ１２に記載の装置。
[Ｃ１４]  前記命令が、前記プロセッサに、
ブロードバンド通信のための制御領域を備える前記狭帯域領域のリソースを前記制御チャネルから除外すること
を行わせるように動作可能である、Ｃ１２に記載の装置。
[Ｃ１５]  前記命令が、前記プロセッサに、
ブロードバンド通信のための前記制御領域を備える前記狭帯域領域の前記リソースを示すメッセージを受信することと、
前記メッセージに少なくとも部分的に基づいて、前記ブロードバンド通信のための前記制御領域を備える前記狭帯域領域の前記リソースを決定することと
を行わせるように動作可能である、Ｃ１４に記載の装置。
[Ｃ１６]  前記制御チャネルが、リソース要素グループ（ＲＥＧ）のセットを備える制御チャネル要素（ＣＣＥ）を備える、Ｃ１２に記載の装置。
[Ｃ１７]  ＲＥＧの前記セットのうちの各ＲＥＧが、前記狭帯域領域内で前記複数のサブフレームの間に時間および周波数において分散される、Ｃ１６に記載の装置。
[Ｃ１８]  単一のプリコーダが、前記制御チャネルの各物理リソースブロックペアのために適用される、Ｃ１２に記載の装置。
[Ｃ１９]  ２つまたはそれ以上のプリコーダが、前記制御チャネルの各物理リソースブロックペアをもつリソースに適用される、Ｃ１２に記載の装置。
[Ｃ２０]  前記制御チャネルが、セル固有基準信号（ＣＲＳ）に少なくとも部分的に基づいて復号される、Ｃ１２に記載の装置。
[Ｃ２１]  ワイヤレス通信のための装置であって、
ノードに関連する制御チャネルを復号するための復調基準信号（ＤＭ−ＲＳ）をその間に監視すべき複数のサブフレームを識別するための手段と、ここにおいて、前記制御チャネルが広帯域システムの狭帯域領域を備え、前記複数のサブフレームが前記ＤＭ−ＲＳのための同じプリコーディングを有する、
前記ＤＭ−ＲＳに少なくとも部分的に基づいて前記制御チャネルを復号するための手段と
を備える、装置。
[Ｃ２２]  前記狭帯域領域内で前記同じプリコーディングを有する２つまたはそれ以上のリソースブロック（ＲＢ）を識別するための手段
をさらに備える、Ｃ２１に記載の装置。
[Ｃ２３]  ブロードバンド通信のための制御領域を備える前記狭帯域領域のリソースを前記制御チャネルから除外するための手段
をさらに備える、Ｃ２１に記載の装置。
[Ｃ２４]  ブロードバンド通信のための前記制御領域を備える前記狭帯域領域の前記リソースを示すメッセージを受信するための手段と、
前記メッセージに少なくとも部分的に基づいて、前記ブロードバンド通信のための前記制御領域を備える前記狭帯域領域の前記リソースを決定するための手段と
をさらに備える、Ｃ２３に記載の装置。
[Ｃ２５]  前記制御チャネルが、リソース要素グループ（ＲＥＧ）のセットを備える制御チャネル要素（ＣＣＥ）を備える、Ｃ２１に記載の装置。
[Ｃ２６]  ＲＥＧの前記セットのうちの各ＲＥＧが、ＤＭ−ＲＳを備えるリソース要素を除外する、Ｃ２５に記載の装置。
[Ｃ２７]  単一のプリコーダが、前記制御チャネルの各物理リソースブロックペアのために適用される、Ｃ２１に記載の装置。
[Ｃ２８]  ２つまたはそれ以上のプリコーダが、前記制御チャネルの各物理リソースブロックペアをもつリソースに適用される、Ｃ２１に記載の装置。
[Ｃ２９]  前記制御チャネルが、セル固有基準信号（ＣＲＳ）に少なくとも部分的に基づいて復号される、Ｃ２１に記載の装置。
[Ｃ３０]  ワイヤレス通信のためのコードを記憶する非一時的コンピュータ可読媒体であって、前記コードは、
ノードに関連する制御チャネルを復号するための復調基準信号（ＤＭ−ＲＳ）をその間に監視すべき複数のサブフレームを識別することと、ここにおいて、前記制御チャネルが広帯域システムの狭帯域領域を備え、前記複数のサブフレームが前記ＤＭ−ＲＳのための同じプリコーディングを有する、
前記ＤＭ−ＲＳに少なくとも部分的に基づいて前記制御チャネルを復号することと  を行うために実行可能な命令を備える、非一時的コンピュータ可読媒体。
【図１】
0006644779.tif 000002
【図２】
0006644779.tif 000003
【図３Ａ】
0006644779.tif 000004
【図３Ｂ】
0006644779.tif 000005
【図３Ｃ】
0006644779.tif 000006
【図４】
0006644779.tif 000007
【図５】
0006644779.tif 000008
【図６】
0006644779.tif 000009
【図７】
0006644779.tif 000010
【図８】
0006644779.tif 000011
【図９】
0006644779.tif 000012
【図１０】
0006644779.tif 000013
【図１１】
0006644779.tif 000014
【図１２】
0006644779.tif 000015
【図１３】
0006644779.tif 000016
【図１４】
0006644779.tif 000017
【図１５】
0006644779.tif 000018
【図１６】
0006644779.tif 000019
【図１７】
0006644779.tif 000020
【図１８】
0006644779.tif 000021
【図１９】
0006644779.tif 000022
【図２０】
0006644779.tif 000023
【図２１】
0006644779.tif 000024